(57)【要約】  本発明の実施形態は、テレビ会議におけるプレゼンテーションのための方法、装置、およびシステムを提供する。方法は、少なくとも1つの送出側エンドポイントの映像ストリームを受け取るステップと、各送出側エンドポイントの映像ストリームに従って映像コンテンツをグレーディングして、各送出側エンドポイントに対応する映像コンテンツグレードを判定するステップであって、少なくとも1つの送出側エンドポイントは、複数の映像コンテンツグレードに対応する、ステップと、複数の映像コンテンツグレードのうちの各映像コンテンツグレードに対応する表示領域を示すために使用される映像のレイアウトを判定するステップであって、映像コンテンツグレードは、表示領域1つ1つに対応する、ステップと、複数の映像コンテンツグレードのうちの各映像コンテンツグレードに対応する映像コンテンツと、映像のレイアウトとに従って、複数の表示領域のうちの各表示領域の提示対象の映像コンテンツを判定するステップと、を含む。本発明の実施形態は、情報が表示領域により適切に表示されることを可能にし、ユーザによる手動の選択および調整を回避することができ、それによって、会議経験をさらに向上させる。
2017523632.tif 000002
【特許請求の範囲】
【請求項１】
テレビ会議におけるプレゼンテーションのための方法であって、
少なくとも1つの送出側エンドポイントのうちの各送出側エンドポイントの映像ストリームを受け取るステップと、
各送出側エンドポイントの前記映像ストリームに従って、各送出側エンドポイントの前記映像ストリーム内の映像コンテンツをグレーディングして、各送出側エンドポイントに対応する映像コンテンツグレードを判定するステップであって、前記少なくとも1つの送出側エンドポイントは、複数の映像コンテンツグレードに対応する、ステップと、
映像のレイアウトを判定するステップであって、前記映像のレイアウトを使用して前記複数の映像コンテンツグレードのうちの各映像コンテンツグレードに対応する表示領域を示し、前記表示領域は、受信側エンドポイントの複数の表示領域のうちの1つであり、前記映像コンテンツグレードは、前記表示領域1つ1つに対応する、ステップと、
前記複数の映像コンテンツグレードのうちの各映像コンテンツグレードに対応する映像コンテンツと、前記映像のレイアウトとに従って、前記複数の表示領域のうちの各表示領域に対応する提示対象の映像コンテンツを判定するステップであって、前記複数の表示領域のうちの各表示領域を使用することにより、前記対応する提示対象の映像コンテンツを提示するようにする、ステップであって、異なる表示領域に対応する提示対象の映像コンテンツは、異なる映像コンテンツグレードに対応する映像コンテンツを含む、ステップと、を含む方法。
【請求項２】
前記方法は、制御デバイスにより実行され、前記方法は、
前記複数の表示領域のうちの各表示領域に対応する前記提示対象の映像コンテンツと、指示情報と、を前記受信側エンドポイントに送るステップであって、前記指示情報を使用して、前記表示領域と前記提示対象の映像コンテンツとの間の対応を示して、前記受信側エンドポイントが、前記対応する提示対象の映像コンテンツを、前記複数の表示領域のうちの各表示領域を使用することにより提示するようにする、ステップ
をさらに含む、請求項1に記載の方法。
【請求項３】
前記方法は、前記受信側エンドポイントにより実行され、前記方法は、
前記受信側エンドポイントによって、前記対応する提示対象の映像コンテンツを、前記複数の表示領域のうちの各表示領域を使用することにより提示するステップ
をさらに含む、請求項1に記載の方法。
【請求項４】
前記方法は、前記少なくとも1つの送出側エンドポイントのうちの全てまたはいくつかの送出側エンドポイントの事象情報を受け取るステップをさらに含み、
各送出側エンドポイントの前記映像ストリームに従って、各送出側エンドポイントの前記映像ストリーム内の映像コンテンツをグレーディングする前記ステップが、
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの映像ストリーム内の前記映像コンテンツをグレーディングするステップ
を含む、請求項1から3のいずれか一項に記載の方法。
【請求項５】
前記少なくとも1つの送出側エンドポイントのうちの前記全てまたはいくつかの送出側エンドポイントの前記事象情報を使用して、前記全てまたはいくつかの送出側エンドポイントにおける参加者事象を示し、
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングする前記ステップが、
前記全てまたはいくつかの送出側エンドポイントの前記映像ストリームについて、人を単位にして、映像分割を行い、前記全てまたはいくつかの送出側エンドポイントにおける各参加者の映像コンテンツを取得するステップと、
前記全てまたはいくつかの送出側エンドポイントにおける前記参加者事象に従って、前記全てまたはいくつかの送出側エンドポイントにおける各参加者の映像コンテンツをグレーディングして、各参加者の前記映像コンテンツの映像コンテンツグレードを判定する、ステップと
を含む、請求項4に記載の方法。
【請求項６】
前記少なくとも1つの送出側エンドポイントのうちの前記全てまたはいくつかの送出側エンドポイントの前記事象情報を使用して、前記全てまたはいくつかの送出側エンドポイントにおける、基調演説者事象、共同作業者事象、話者事象、または資料共有者事象を示す、請求項5に記載の方法。
【請求項７】
前記少なくとも1つの送出側エンドポイントのうちの前記全てまたはいくつかの送出側エンドポイントの前記事象情報を使用して、前記全てまたはいくつかの送出側エンドポイントがデータ文書を共有する必要があるということを示し、前記全てまたはいくつかの送出側エンドポイントの前記映像ストリームにはデータ文書が含まれ、
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングする前記ステップが、
前記データ文書を、前記事象情報に従って、前記全てまたはいくつかの送出側エンドポイントの前記映像ストリームから分離させ、前記全てまたはいくつかの送出側エンドポイントの前記映像ストリームから分離された前記データ文書をグレーディングして、前記データ文書の映像コンテンツグレードを判定するステップ
を含む、請求項4から6のいずれか一項に記載の方法。
【請求項８】
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングする前記ステップの後に、前記方法は、
前記全てまたはいくつかの送出側エンドポイントのうちのいずれか1つの送出側エンドポイントの事象情報が変更された場合、前記全てまたはいくつかの送出側エンドポイントに対応する映像コンテンツグレードを動的に調整するステップ
をさらに含む、請求項4から7のいずれか一項に記載の方法。
【請求項９】
各送出側エンドポイントの前記映像ストリームに従って、各送出側エンドポイントの前記映像ストリーム内の映像コンテンツをグレーディングする前記ステップが、
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングするステップ
を含む、請求項1から3のいずれか一項に記載の方法。
【請求項１０】
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングする前記ステップが、
前記全てまたはいくつかの送出側エンドポイントの前記映像ストリームについて、人を単位にして、映像分割を行い、前記全てまたはいくつかの送出側エンドポイントの各参加者の映像コンテンツを取得するステップと、
各参加者の前記映像コンテンツについて事象判定を行い、前記事象判定の後に、各参加者の前記映像コンテンツをグレーディングして、各参加者の前記映像コンテンツの映像コンテンツグレードを判定するステップと
を含む、請求項9に記載の方法。
【請求項１１】
各参加者の前記映像コンテンツについて事象判定を行う前記ステップが、
前記参加者の前記映像コンテンツが、基調演説者の映像コンテンツ、共同作業者の映像コンテンツ、話者の映像コンテンツ、または資料共有者の映像コンテンツであると判定するステップ
を含む、請求項10に記載の方法。
【請求項１２】
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングする前記ステップが、
前記全てまたはいくつかの送出側エンドポイントの前記映像ストリームについて、映像分割を行い、前記全てまたはいくつかの送出側エンドポイントの前記映像ストリーム内に、データ文書が存在すると判定するステップと、
前記全てまたはいくつかの送出側エンドポイントの分割された映像ストリーム内の前記データ文書をグレーディングして、前記データ文書の映像コンテンツグレードを判定するステップと
を含む、請求項9から11のいずれか一項に記載の方法。
【請求項１３】
各送出側エンドポイントの前記映像ストリーム内の映像コンテンツをグレーディングする前記ステップが、
各送出側エンドポイントの前記映像ストリーム内の前記映像コンテンツをグレーディングするステップであって、各送出側エンドポイントに対応する前記映像コンテンツグレードは、別の送出側エンドポイントの映像コンテンツグレードと重複しない、ステップ
を含む、請求項1から12のいずれか一項に記載の方法。
【請求項１４】
前記複数の表示領域のうちの各表示領域に対応する提示対象の映像コンテンツを判定する前記ステップが、
前記複数の映像コンテンツグレードのうちの各映像コンテンツグレードに対応する前記映像コンテンツと、前記映像のレイアウトとに従って、前記表示領域のうちの全てまたはいくつかに対応する提示対象の映像コンテンツを生成するステップであって、前記表示領域のうちの全てまたはいくつかに対応する、前記提示対象の映像コンテンツのうちの全てまたはいくつかのコンテンツが、サイズ変更および/またはカラーマーキングの様式で設定される、ステップ、
を含む、請求項1から13のいずれか一項に記載の方法。
【請求項１５】
テレビ会議におけるプレゼンテーションのための装置であって、
少なくとも1つの送出側エンドポイントのうちの各送出側エンドポイントの映像ストリームを受け取るように構成される受信ユニットと、
各送出側エンドポイントの前記映像ストリームに従って、各送出側エンドポイントの前記映像ストリーム内の映像コンテンツをグレーディングして、各送出側エンドポイントに対応する映像コンテンツグレードを判定するように構成される第1の判定ユニットであって、前記少なくとも1つの送出側エンドポイントは、複数の映像コンテンツグレードに対応する、第1の判定ユニットと、
映像のレイアウトを判定するように構成される第2の判定ユニットであって、前記映像のレイアウトを使用して前記複数の映像コンテンツグレードのうちの各映像コンテンツグレードに対応する表示領域を示し、前記表示領域は、受信側エンドポイントの複数の表示領域のうちの1つであり、前記映像コンテンツグレードは、前記表示領域1つ1つに対応する、第2の判定ユニットと、
前記複数の映像コンテンツグレードのうちの各映像コンテンツグレードに対応する映像コンテンツと、前記映像のレイアウトとに従って、前記複数の表示領域のうちの各表示領域に対応する提示対象の映像コンテンツを判定して、前記複数の表示領域のうちの各表示領域を使用することにより、前記対応する提示対象の映像コンテンツを提示するように構成される第3の判定ユニットであって、異なる表示領域に対応する提示対象の映像コンテンツは、異なる映像コンテンツグレードに対応する映像コンテンツを含む、第3の判定ユニットと、
を含む装置。
【請求項１６】
前記装置は、制御デバイスであり、前記装置は、
前記複数の表示領域のうちの各表示領域に対応する前記提示対象の映像コンテンツと、指示情報と、を前記受信側エンドポイントに送るように構成される送出ユニットであって、前記指示情報を使用して、前記表示領域と前記提示対象の映像コンテンツとの間の対応を示して、前記受信側エンドポイントが、前記対応する提示対象の映像コンテンツを、前記複数の表示領域のうちの各表示領域を使用することにより提示するようにする、送出ユニット
をさらに含む、請求項15に記載の方法。
【請求項１７】
前記装置は、前記受信側エンドポイントであり、前記装置は、
前記対応する提示対象の映像コンテンツを、前記複数の表示領域のうちの各表示領域を使用することにより提示するように構成される提示ユニット
をさらに含む、請求項15に記載の方法。
【請求項１８】
前記受信ユニットは、前記少なくとも1つの送出側エンドポイントのうちの全てまたはいくつかの送出側エンドポイントの事象情報を受け取るようにさらに構成され、
前記第1の判定ユニットは、前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングするように特に構成される、請求項15から17のいずれか一項に記載の方法。
【請求項１９】
前記少なくとも1つの送出側エンドポイントのうちの前記全てまたはいくつかの送出側エンドポイントの前記事象情報を使用して、前記全てまたはいくつかの送出側エンドポイントにおける参加者事象を示し、
前記第1の判定ユニットは、
前記全てまたはいくつかの送出側エンドポイントの前記映像ストリームについて、人を単位にして、映像分割を行い、前記全てまたはいくつかの送出側エンドポイントにおける各参加者の映像コンテンツを取得することと、
前記全てまたはいくつかの送出側エンドポイントにおける前記参加者事象に従って、前記全てまたはいくつかの送出側エンドポイントにおける各参加者の前記映像コンテンツをグレーディングして、各参加者の前記映像コンテンツの映像コンテンツグレードを判定することと、
を行うように特に構成される、請求項18に記載の方法。
【請求項２０】
前記少なくとも1つの送出側エンドポイントのうちの前記全てまたはいくつかの送出側エンドポイントの前記事象情報を使用して、前記全てまたはいくつかの送出側エンドポイントにおける、基調演説者事象、共同作業者事象、話者事象、または資料共有者事象を示す、請求項19に記載の方法。
【請求項２１】
前記少なくとも1つの送出側エンドポイントのうちの前記全てまたはいくつかの送出側エンドポイントの前記事象情報を使用して、前記全てまたはいくつかの送出側エンドポイントがデータ文書を共有する必要があるということを示し、前記全てまたはいくつかの送出側エンドポイントの前記映像ストリームには前記データ文書が含まれ、
前記第1の判定ユニットは、
前記データ文書を、前記事象情報に従って、前記全てまたはいくつかの送出側エンドポイントの前記映像ストリームから分離させ、前記全てまたはいくつかの送出側エンドポイントの前記映像ストリームから分離された前記データ文書をグレーディングして、前記データ文書の映像コンテンツグレードを判定するように特に構成される、請求項18から20のいずれか一項に記載の方法。
【請求項２２】
前記全てまたはいくつかの送出側エンドポイントの前記事象情報に従って、かつ、前記全てまたはいくつかの送出側エンドポイントの前記映像ストリームに従って、前記全てまたはいくつかの送出側エンドポイントの前記映像ストリーム内の前記映像コンテンツがグレーディングされた後に、前記第1の判定ユニットは、
前記全てまたはいくつかの送出側エンドポイントのうちのいずれか1つの送出側エンドポイントの事象情報が変更された場合、前記全てまたはいくつかの送出側エンドポイントに対応する映像コンテンツグレードを動的に調整するようにさらに構成される、請求項18から21のいずれか一項に記載の方法。
【請求項２３】
前記第1の判定ユニットは、
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングするように特に構成される、請求項15から17のいずれか一項に記載の方法。
【請求項２４】
前記第1の判定ユニットは、
前記全てまたはいくつかの送出側エンドポイントの前記映像ストリームについて、人を単位にして、映像分割を行い、前記全てまたはいくつかの送出側エンドポイントの各参加者の映像コンテンツを取得することと、
各参加者の前記映像コンテンツについて事象判定を行い、前記事象判定の後に、各参加者の前記映像コンテンツをグレーディングして、各参加者の前記映像コンテンツの映像コンテンツグレードを判定することと、
を行うように特に構成される、請求項23に記載の方法。
【請求項２５】
前記第1の判定ユニットは、
前記参加者の前記映像コンテンツが、基調演説者の映像コンテンツ、共同作業者の映像コンテンツ、話者の映像コンテンツ、または資料共有者の映像コンテンツであると判定するように特に構成される、請求項24に記載の方法。
【請求項２６】
前記第1の判定ユニットは、
前記全てまたはいくつかの送出側エンドポイントの前記映像ストリームについて、映像分割を行い、前記全てまたはいくつかの送出側エンドポイントの前記映像ストリームのそれぞれの中に、データ文書が存在すると判定することと、
前記全てまたはいくつかの送出側エンドポイントの分割された映像ストリーム内の前記データ文書をグレーディングして、前記データ文書の映像コンテンツグレードを判定することと、
を行うように特に構成される、請求項23から25のいずれか一項に記載の方法。
【請求項２７】
前記第1の判定ユニットは、
各送出側エンドポイントの前記映像ストリーム内の前記映像コンテンツをグレーディングするように特に構成され、各送出側エンドポイントに対応する前記映像コンテンツグレードは、別の送出側エンドポイントの映像コンテンツグレードと重複しない、請求項15から26のいずれか一項に記載の方法。
【請求項２８】
前記第3の判定ユニットは、
前記複数の映像コンテンツグレードのうちの各映像コンテンツグレードに対応する前記映像コンテンツと、前記映像のレイアウトとに従って、前記表示領域のうちの全てまたはいくつかに対応する提示対象の映像コンテンツを生成するように特に構成され、前記表示領域のうちの全てまたはいくつかに対応する、前記提示対象の映像コンテンツのうちの全てまたはいくつかのコンテンツが、サイズ変更および/またはカラーマーキングの様式で設定される、請求項15から27のいずれか一項に記載の方法。
【請求項２９】
テレビ会議におけるプレゼンテーションのためのシステムであって、請求項15から28のいずれか一項に記載の装置を備え、少なくとも1つの送出側エンドポイントを備え、前記少なくとも1つの送出側エンドポイントのうちの各エンドポイントは、映像ストリームを前記装置に送るように構成される、システム。
【発明の詳細な説明】
【技術分野】
【０００１】
本願は、2014年5月21日に中国特許庁に提出された、「テレビ会議におけるプレゼンテーションのための方法、装置、およびシステム」と題する中国特許出願第201410216238.8号の優先権を主張し、その全体が参照により本明細書に組み込まれる。
【０００２】
本発明は、通信の分野に関し、より詳細には、テレビ会議におけるプレゼンテーションのための方法、装置、およびシステムに関する。
【背景技術】
【０００３】
種々のタイプの現在のマルチポイントビデオ通信において、テレビ会議のビデオ画像は、カメラ撮影領域を基本単位として使用することにより基本的に形成され、そして、ビデオ画像は継ぎ合せられ、またはビデオ画像は会場のスクリーンに直接送信される。従って、各会場のスクリーン上に映じられる内容は通常、1つカメラで撮影された複数の画像、または、複数のカメラで撮影された画像を組み合わせることにより形成される1つの画像、である。この場合、以下の問題が起こる。冗長な情報が会議で提示され、会議の焦点である文字情報と、焦点ではない文字情報とが、スクリーンの異なる領域に分散され、レイアウトの点で、スクリーン上で情報の焦点が区別されていない。その結果、会議の現在の焦点である文字情報が、各スクリーン領域に現れることになり、通信の焦点が絶えず変化し、焦点ではない情報さえも、スクリーンの中央領域を占領するなど、通信の効果に影響を与える。
【０００４】
映じられる内容を制御する様式の点では、通常、一般的な様式として、音声起動型の切替機構と、非音声起動型の切替(手動切替)機構と、がある。音声起動型の切替機構では、スクリーンの画像を、スクリーン領域において焦点を区別することなく、不規則に継続的に切り替えるが、非音声起動型の切替機構では、人を各会場に特別に配置して、スクリーン内容をいつでも切り替えて、映じる要件にリアルタイムで応じる必要がある。従って、画像を映じる効率は、満足できるほどは高くない。特に、討議または協調を目的とする会議では、会議の焦点がすぐに変化し、従って、映じることについての影響の極端な状況としては、例えば、話者または資料が適切に提示されないときに「人を見ずに聴く」という影響が発生し得る。
【発明の概要】
【課題を解決するための手段】
【０００５】
本発明の実施形態は、情報が表示領域により適切に表示されることを可能にし、ユーザによる手動の選択および調整を回避し、それによって、会議をより効率的にする、テレビ会議におけるプレゼンテーションのための方法、装置、およびシステムを提供する。
【０００６】
第1の態様によると、テレビ会議におけるプレゼンテーションのための方法が提供され、当該方法は、
少なくとも1つの送出側エンドポイントのうちの各送出側エンドポイントの映像ストリームを受け取るステップと、
各送出側エンドポイントの映像ストリームに従って、各送出側エンドポイントの映像ストリーム内の映像コンテンツをグレーディングして、各送出側エンドポイントに対応する映像コンテンツグレードを判定するステップであって、少なくとも1つの送出側エンドポイントは、複数の映像コンテンツグレードに対応する、ステップと、
映像のレイアウトを判定するステップであって、映像のレイアウトを使用して複数の映像コンテンツグレードのうちの各映像コンテンツグレードに対応する表示領域を示し、表示領域は、受信側エンドポイントの複数の表示領域のうちの1つであり、映像コンテンツグレードは、表示領域1つ1つに対応する、ステップと、
複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するステップであって、異なる表示領域に対応する提示対象の映像コンテンツは、異なる映像コンテンツグレードに対応する映像コンテンツを含む、ステップと、を含む。
【０００７】
第1の態様を参照すると、第1の態様の第1の可能性のある実装様式において、方法は、制御デバイスにより実行され、方法は、
複数の表示領域のうちの各表示領域に対応する提示対象の映像コンテンツと、指示情報と、を受信側エンドポイントに送るステップであって、指示情報を使用して、表示領域と提示対象の映像コンテンツとの間の対応を示して、受信側エンドポイントが、対応する提示対象の映像コンテンツを、複数の表示領域のうちの各表示領域を使用することにより提示するようにする、ステップ、をさらに含む。
【０００８】
第1の態様を参照すると、第1の態様の第2の可能性のある実装様式において、方法は、受信側エンドポイントにより実行され、方法は、
受信側エンドポイントによって、対応する提示対象の映像コンテンツを、複数の表示領域のうちの各表示領域を使用することにより提示するステップ、をさらに含む。
【０００９】
第1の態様、または第1の態様の第1もしくは第2の可能性のある実装様式、を参照すると、第1の態様の第3の可能性のある実装様式において、方法は、少なくとも1つの送出側エンドポイントのうちの全てまたはいくつかの送出側エンドポイントの事象情報を受け取るステップをさらに含み、
各送出側エンドポイントの映像ストリームに従って、各送出側エンドポイントの映像ストリーム内の映像コンテンツをグレーディングするステップが、
全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするステップ、を含む。
【００１０】
第1の態様の第3の可能性のある実装様式を参照すると、第1の態様の第4の可能性のある実装様式において、少なくとも1つの送出側エンドポイントのうちの全てまたはいくつかの送出側エンドポイントの事象情報を使用して、全てまたはいくつかの送出側エンドポイントにおける参加者事象を示し、
全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするステップが、
全てまたはいくつかの送出側エンドポイントの映像ストリームについて、人を単位にして、映像分割を行い、全てまたはいくつかの送出側エンドポイントにおける各参加者の映像コンテンツを取得するステップと、
全てまたはいくつかの送出側エンドポイントにおける参加者事象に従って、全てまたはいくつかの送出側エンドポイントにおける各参加者の映像コンテンツをグレーディングして、各参加者の映像コンテンツの映像コンテンツグレードを判定する、ステップと、を含む。
【００１１】
第1の態様の第4の可能性のある実装様式を参照すると、第1の態様の第5の可能性のある実装様式において、少なくとも1つの送出側エンドポイントのうちの全てまたはいくつかの送出側エンドポイントの事象情報を使用して、全てまたはいくつかの送出側エンドポイントにおける、基調演説者事象、共同作業者事象、話者事象、または資料共有者事象を示す。
【００１２】
第1の態様の第3から第5の可能性のある実装様式のいずれか1つを参照すると、第1の態様の第6の可能性のある実装様式において、少なくとも1つの送出側エンドポイントのうちの全てまたはいくつかの送出側エンドポイントの事象情報を使用して、全てまたはいくつかの送出側エンドポイントがデータ文書を共有する必要があるということを示し、全てまたはいくつかの送出側エンドポイントの映像ストリームにはデータ文書が含まれ、
全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするステップが、
データ文書を、事象情報に従って、全てまたはいくつかの送出側エンドポイントの映像ストリームから分離させ、全てまたはいくつかの送出側エンドポイントの映像ストリームから分離されたデータ文書をグレーディングして、データ文書の映像コンテンツグレードを判定するステップ、を含む。
【００１３】
第1の態様の第3から第6の可能性のある実装様式のいずれか1つを参照すると、第1の態様の第7の可能性のある実装様式において、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするステップの後に、方法は、
全てまたはいくつかの送出側エンドポイントのうちのいずれか1つの送出側エンドポイントの事象情報が変更された場合、全てまたはいくつかの送出側エンドポイントに対応する映像コンテンツグレードを動的に調整するステップ、をさらに含む。
【００１４】
第1の態様、または第1の態様の第1もしくは第2の可能性のある実装様式、を参照すると、第1の態様の第8の可能性のある実装様式において、各送出側エンドポイントの映像ストリームに従って、各送出側エンドポイントの映像ストリーム内の映像コンテンツをグレーディングするステップが、
少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするステップ、を含む。
【００１５】
第1の態様の第8の可能性のある実装様式を参照すると、第1の態様の第9の可能性のある実装様式において、少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするステップが、
全てまたはいくつかの送出側エンドポイントの映像ストリームについて、人を単位にして、映像分割を行い、全てまたはいくつかの送出側エンドポイントの各参加者の映像コンテンツを取得するステップと、
各参加者の映像コンテンツについて事象判定を行い、事象判定の後に、各参加者の映像コンテンツをグレーディングして、各参加者の映像コンテンツの映像コンテンツグレードを判定するステップと、を含む。
【００１６】
第1の態様の第9の可能性のある実装様式を参照すると、第1の態様の第10の可能性のある実装様式において、各参加者の映像コンテンツについて事象判定を行うステップが、
参加者の映像コンテンツが、基調演説者の映像コンテンツ、共同作業者の映像コンテンツ、話者の映像コンテンツ、または資料共有者の映像コンテンツであるのかを判定するステップ、を含む。
【００１７】
第1の態様の第8から第10の可能性のある実装様式のいずれか1つを参照すると、第1の態様の第11の可能性のある実装様式において、少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするステップが、
全てまたはいくつかの送出側エンドポイントの映像ストリームについて、映像分割を行い、全てまたはいくつかの送出側エンドポイントの映像ストリームのそれぞれの中に、データ文書が存在すると判定するステップと、
全てまたはいくつかの送出側エンドポイントの分割された映像ストリーム内のデータ文書をグレーディングして、データ文書の映像コンテンツグレードを判定するステップと、を含む。
【００１８】
第1の態様、または第1の態様の第1から第11の可能性のある実装様式のいずれか1つ、を参照すると、第1の態様の第12の可能性のある実装様式において、各送出側エンドポイントの映像ストリーム内の映像コンテンツをグレーディングするステップが、
各送出側エンドポイントの映像ストリーム内の映像コンテンツをグレーディングするステップであって、各送出側エンドポイントに対応する映像コンテンツグレードは、別の送出側エンドポイントの映像コンテンツグレードと重複しない、ステップを含む。
【００１９】
第1の態様、または第1の態様の第1から第12の可能性のある実装様式のいずれか1つ、を参照すると、第1の態様の第13の可能性のある実装様式において、複数の表示領域のうちの各表示領域に対応する提示対象の映像コンテンツを判定するステップが、
複数の映像コンテンツグレードのうちの各映像コンテンツグレードに対応する映像コンテンツと、映像のレイアウトとに従って、表示領域のうちの全てまたはいくつかに対応する提示対象の映像コンテンツを生成するステップであって、表示領域のうちの全てまたはいくつかに対応する、提示対象の映像コンテンツのうちの全てまたはいくつかのコンテンツが、サイズ変更および/またはカラーマーキングの様式で設定される、ステップ、を含む。
【００２０】
第2の態様によると、テレビ会議におけるプレゼンテーションのための装置が提供され、当該装置は、
少なくとも1つの送出側エンドポイントのうちの各送出側エンドポイントの映像ストリームを受け取るように構成される受信ユニットと、
各送出側エンドポイントの映像ストリームに従って、各送出側エンドポイントの映像ストリーム内の映像コンテンツをグレーディングして、各送出側エンドポイントに対応する映像コンテンツグレードを判定するように構成される第1の判定ユニットであって、少なくとも1つの送出側エンドポイントは、複数の映像コンテンツグレードに対応する、第1の判定ユニットと、
映像のレイアウトを判定するように構成される第2の判定ユニットであって、映像のレイアウトを使用して複数の映像コンテンツグレードのうちの各映像コンテンツグレードに対応する表示領域を示し、表示領域は、受信側エンドポイントの複数の表示領域のうちの1つであり、映像コンテンツグレードは、表示領域1つ1つに対応する、第2の判定ユニットと、
複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するように構成される第3の判定ユニットであって、異なる表示領域に対応する提示対象の映像コンテンツは、異なる映像コンテンツグレードに対応する映像コンテンツを含む、第3の判定ユニットと、を含む。
【００２１】
第2の態様を参照すると、第2の態様の第1の可能性のある実装様式において、装置は、制御デバイスであり、装置は、
複数の表示領域のうちの各表示領域に対応する提示対象の映像コンテンツと、指示情報と、を受信側エンドポイントに送るように構成される送出ユニットであって、指示情報を使用して、表示領域と提示対象の映像コンテンツとの間の対応を示して、受信側エンドポイントが、対応する提示対象の映像コンテンツを、複数の表示領域のうちの各表示領域を使用することにより提示するようにする、送出ユニット、をさらに含む。
【００２２】
第2の態様を参照すると、第2の態様の第2の可能性のある実装様式において、装置は、受信側エンドポイントであり、装置は、
対応する提示対象の映像コンテンツを、複数の表示領域のうちの各表示領域を使用することにより提示するように構成される提示ユニット、をさらに含む。
【００２３】
第2の態様、または第2の態様の第1もしくは第2の可能性のある実装様式、を参照すると、第2の態様の第3の可能性のある実装様式において、受信ユニットは、少なくとも1つの送出側エンドポイントのうちの全てまたはいくつかの送出側エンドポイントの事象情報を受け取るようにさらに構成され、
第1の判定ユニットは、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするように特に構成される。
【００２４】
第2の態様の第3の可能性のある実装様式を参照すると、第2の態様の第4の可能性のある実装様式において、少なくとも1つの送出側エンドポイントのうちの全てまたはいくつかの送出側エンドポイントの事象情報を使用して、全てまたはいくつかの送出側エンドポイントにおける参加者事象を示し、
第1の判定ユニットは、
全てまたはいくつかの送出側エンドポイントの映像ストリームについて、人を単位にして、映像分割を行い、全てまたはいくつかの送出側エンドポイントにおける各参加者の映像コンテンツを取得することと、
全てまたはいくつかの送出側エンドポイントにおける参加者事象に従って、全てまたはいくつかの送出側エンドポイントにおける各参加者の映像コンテンツをグレーディングして、各参加者の映像コンテンツの映像コンテンツグレードを判定することと、を行うように特に構成される。
【００２５】
第2の態様の第4の可能性のある実装様式を参照すると、第2の態様の第5の可能性のある実装様式において、少なくとも1つの送出側エンドポイントのうちの全てまたはいくつかの送出側エンドポイントの事象情報を使用して、全てまたはいくつかの送出側エンドポイントにおける、基調演説者事象、共同作業者事象、話者事象、または資料共有者事象を示す。
【００２６】
第2の態様の第3から第5の可能性のある実装様式のいずれか1つを参照すると、第2の態様の第6の可能性のある実装様式において、少なくとも1つの送出側エンドポイントのうちの全てまたはいくつかの送出側エンドポイントの事象情報を使用して、全てまたはいくつかの送出側エンドポイントがデータ文書を共有する必要があるということを示し、全てまたはいくつかの送出側エンドポイントの映像ストリームにはデータ文書が含まれ、
第1の判定ユニットは、
データ文書を、事象情報に従って、全てまたはいくつかの送出側エンドポイントの映像ストリームから分離させ、全てまたはいくつかの送出側エンドポイントの映像ストリームから分離されたデータ文書をグレーディングして、データ文書の映像コンテンツグレードを判定するように特に構成される。
【００２７】
第2の態様の第3から第6の可能性のある実装様式のいずれか1つを参照すると、第2の態様の第7の可能性のある実装様式において、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツがグレーディングされた後に、第1の判定ユニットは、
全てまたはいくつかの送出側エンドポイントのうちのいずれか1つの送出側エンドポイントの事象情報が変更された場合、全てまたはいくつかの送出側エンドポイントに対応する映像コンテンツグレードを動的に調整するようにさらに構成される。
【００２８】
第2の態様、または第2の態様の第1もしくは第2の可能性のある実装様式、を参照すると、第2の態様の第8の可能性のある実装様式において、第1の判定ユニットは、
少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするように特に構成される。
【００２９】
第2の態様の第8の可能性のある実装様式を参照すると、第2の態様の第9の可能性のある実装様式において、第1の判定ユニットは、
全てまたはいくつかの送出側エンドポイントの映像ストリームについて、人を単位にして、映像分割を行い、全てまたはいくつかの送出側エンドポイントの各参加者の映像コンテンツを取得することと、
各参加者の映像コンテンツについて事象判定を行い、事象判定の後に、各参加者の映像コンテンツをグレーディングして、各参加者の映像コンテンツの映像コンテンツグレードを判定することと、を行うように特に構成される。
【００３０】
第2の態様の第9の可能性のある実装様式を参照すると、第2の態様の第10の可能性のある実装様式において、第1の判定ユニットは、
参加者の映像コンテンツが、基調演説者の映像コンテンツ、共同作業者の映像コンテンツ、話者の映像コンテンツ、または資料共有者の映像コンテンツであるのかを判定するように特に構成される。
【００３１】
第2の態様の第8から第10の可能性のある実装様式のいずれか1つを参照すると、第2の態様の第11の可能性のある実装様式において、第1の判定ユニットは、
全てまたはいくつかの送出側エンドポイントの映像ストリームについて、映像分割を行い、全てまたはいくつかの送出側エンドポイントの映像ストリームのそれぞれの中に、データ文書が存在すると判定することと、
全てまたはいくつかの送出側エンドポイントの分割された映像ストリーム内のデータ文書をグレーディングして、データ文書の映像コンテンツグレードを判定することと、を行うように特に構成される。
【００３２】
第2の態様、または第2の態様の第1の態様の第1から第11の可能性のある実装様式のいずれか1つ、を参照すると、第2の態様の第12の可能性のある実装様式において、第1の判定ユニットは、
各送出側エンドポイントの映像ストリーム内の映像コンテンツをグレーディングするように特に構成され、各送出側エンドポイントに対応する映像コンテンツグレードは、別の送出側エンドポイントの映像コンテンツグレードと重複しない。
【００３３】
第2の態様、または第2の態様の第1から第12の可能性のある実装様式のいずれか1つ、を参照すると、第2の態様の第13の可能性のある実装様式において、第3の判定ユニットは、
複数の映像コンテンツグレードのうちの各映像コンテンツグレードに対応する映像コンテンツと、映像のレイアウトとに従って、表示領域のうちの全てまたはいくつかに対応する提示対象の映像コンテンツを生成するように特に構成され、表示領域のうちの全てまたはいくつかに対応する、提示対象の映像コンテンツのうちの全てまたはいくつかのコンテンツが、サイズ変更および/またはカラーマーキングの様式で設定される。
【００３４】
第3の態様によると、テレビ会議におけるプレゼンテーションのためのシステムが提供され、当該システムは、第2の態様、または第2の態様のいずれか1つの可能性のある実施様式による、テレビ会議におけるプレゼンテーションのための装置を備え、少なくとも1つの送出側エンドポイントを備え、少なくとも1つの送出側エンドポイントのうちの各エンドポイントは、映像ストリームを装置に送るように構成される。
【００３５】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【００３６】
本発明の実施形態の技術的解決法について、より明確に説明するために、以下では、実施形態または従来技術を説明するために必要とされる添付図面について、簡単に説明する。明らかに、以下の説明における添付の図面は、単に本発明のいくつかの実施形態を示し、当業者は、創造的努力をせずに、これら添付の図面から他の図面をさらに導き出すことができる。
【図面の簡単な説明】
【００３７】
【図１】本発明の一実施形態に係る、テレビ会議におけるプレゼンテーションのための方法の概略フローチャートである。
【図２】本発明の別の実施形態に係る、各映像の会場に対応するエンドポイントの映像ストリームのグレーディングの概略図、および、映像コンテンツの視覚表現様式の設定の概略図である。
【図３ａ】現在のメインストリーム端末の形態の表示デバイス上の表示領域の分割を示す図である。
【図３ｂ】現在のメインストリーム端末の形態の表示デバイス上の表示領域の分割を示す図である。
【図３ｃ】現在のメインストリーム端末の形態の表示デバイス上の表示領域の分割を示す図である。
【図４】本発明の別の実施形態に係る、テレビ会議におけるプレゼンテーションのための装置の概略ブロック図である。
【図５】本発明の別の実施形態に係る、テレビ会議におけるプレゼンテーションのための装置の概略ブロック図である。
【図６】本発明の別の実施形態に係る、テレビ会議におけるプレゼンテーションのための装置の概略ブロック図である。
【図７】本発明の別の実施形態に係る、テレビ会議におけるプレゼンテーションのための装置の概略ブロック図である。
【図８】本発明の別の実施形態に係る、テレビ会議におけるプレゼンテーションのためのシステムの概略ブロック図である。
【図９】本発明の別の実施形態に係る、エンドポイントの概略ブロック図である。
【発明を実施するための形態】
【００３８】
以下では、本発明の実施形態の添付図面を参照して、本発明の実施形態の技術的解決法について、明確かつ完全に説明する。明らかに、説明される実施形態は、本発明の実施形態のいくつかであるが、全てではない。本発明の実施形態に基づき、創造的努力をせずに、当業者によって取得される他の全ての実施形態が、本発明の保護範囲内にあるものとする。
【００３９】
本発明の実施形態の制御デバイスを、中央制御デバイス、すなわち、テレビ会議システムのマルチポイント制御ユニット(Multiple Control Unit、MCU)、と呼ぶことがある。本発明の実施形態における異なるエンドポイントは、マルチポイントテレビ会議の別の空間にあってもよく、各場所/ロケーション/参加者/会議室は、総称してエンドポイントと呼ぶことができ、1つのエンドポイントは、1つまたは複数の端末デバイスに対応するものとする。例えば、複数の端末デバイスが1つの会議室にあり、端末デバイスには、3スクリーン端末、1スクリーン端末、デスクトップコンピュータ、Pad、およびPhone、が含まれるがこれに限定されない。
【００４０】
本発明の実施形態で言及する受信側エンドポイントは、送出側エンドポイントの機能を実装してもよく、本発明の実施形態の送出側エンドポイントは受信側エンドポイントの機能を実装してもよい。本発明の実施形態において、送出側エンドポイントと受信側エンドポイントとは、単に説明を簡単にするために区別される。
【００４１】
本発明の実施形態は、種々のマルチポイントテレビ会議、例えば、テレプレゼンス(Telepresence)会議、テレビ会議、電話会議、および種々のテレビ会議、に適用されてもよい。
【００４２】
図1は、本発明の一実施形態に係る、テレビ会議におけるプレゼンテーションのための方法100の概略フローチャートである。方法100は、テレビ会議におけるプレゼンテーションのための装置により実装される。図1に示すように、方法100は以下のステップを含む。
【００４３】
S110:少なくとも1つの送出側エンドポイントのうちの各送出側エンドポイントの映像ストリームを受け取るステップ。
【００４４】
S120:各送出側エンドポイントの映像ストリームに従って、各送出側エンドポイントの映像ストリーム内の映像コンテンツをグレーディングして、各送出側エンドポイントに対応する映像コンテンツグレードを判定するステップであって、少なくとも1つの送出側エンドポイントは、複数の映像コンテンツグレードに対応する、ステップ。
【００４５】
S130:映像のレイアウトを判定するステップであって、映像のレイアウトを使用して複数の映像コンテンツグレードのうちの各映像コンテンツグレードに対応する表示領域を示し、表示領域は、受信側エンドポイントの複数の表示領域に含まれる表示領域であり、映像コンテンツグレードは、表示領域1つ1つに対応する、ステップ。
【００４６】
S140:複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するステップであって、異なる表示領域に対応する提示対象の映像コンテンツは、異なる映像コンテンツグレードに対応する映像コンテンツを含む、ステップ。
【００４７】
本発明の実施形態において、少なくとも1つの送出側エンドポイントのうちの各送出側エンドポイントの映像ストリームを受け取るステップの後、テレビ会議におけるプレゼンテーションのための装置は、各送出側エンドポイントの映像ストリーム内の映像コンテンツをグレーディングして、各送出側エンドポイントに対応する映像コンテンツグレードを判定してもよい。各送出側エンドポイントの映像ストリーム内の映像コンテンツは、1つまたは複数の映像コンテンツグレードに対応するが、少なくとも1つの送出側エンドポイントは、複数の映像コンテンツグレードに対応する。テレビ会議におけるプレゼンテーションのための装置は、映像のレイアウトを判定することができ、映像のレイアウトを使用して、複数の映像コンテンツグレードのうちの各映像コンテンツグレードに対応する表示領域を示す。表示領域は、受信側エンドポイントの複数の表示領域内に含まれる表示領域であり、映像コンテンツグレードは、表示領域1つ1つに対応する。そして、テレビ会議におけるプレゼンテーションのための装置は、複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示することができ、異なる表示領域に対応する提示対象の映像コンテンツは、異なる映像コンテンツグレードに対応する映像コンテンツを含む。
【００４８】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【００４９】
さらに、映像コンテンツがグレーディングされる際、焦点である情報に対応する映像コンテンツグレードが、焦点ではない情報に対応する映像コンテンツグレードより高いグレードに設定されてもよい。異なる表示領域に対応する提示対象の映像コンテンツには、異なる映像コンテンツグレードに対応する映像コンテンツが含まれるため、焦点である情報と焦点ではない情報とを、表示デバイスの異なる表示領域に分散させることができるので、テレビ会議の焦点である情報が、明瞭かつ自動的に提示され得、また、焦点ではない情報が、適切かつ補助的な様式で提示され得るため、表示領域における情報表示の適切性をさらに向上させることができる。
【００５０】
本発明の実施形態において、各送出側エンドポイントが1つまたは複数の映像コンテンツグレードに対応し得ることは、理解すべきである。
【００５１】
本発明の実施形態において、異なる送出側エンドポイントに対応する映像コンテンツグレーは重複してもよいし、重複しなくてもよい、ことは理解すべきである。すなわち、異なる送出側エンドポイントに対応する映像コンテンツグレードが重複する場合、2つ以上の送出側エンドポイントの映像コンテンツが受信側エンドポイントの1つの表示領域に表示されてもよいことを示し、異なる送出側エンドポイントに対応する映像コンテンツグレードが重複しない場合、1つの送出側エンドポイントのみの映像コンテンツが、受信側エンドポイントの1つの表示領域に表示されることを示す。
【００５２】
本発明の実施形態において、1つの映像コンテンツグレードに対応する映像コンテンツが、複数の種類の映像コンテンツにさらに分割されてもよく、また、1つの表示領域が、複数の表示サブ領域にさらに区分されてもよく、各表示サブ領域が、映像コンテンツの1つの種類に対応し得る、ことは理解すべきである。1つの映像コンテンツグレードに対応する映像コンテンツは、映像コンテンツの重要度に従って、複数の種類の映像コンテンツにさらに区分されてもよく、さらに区分された映像コンテンツは、表示サブ領域に割り当てられる。
【００５３】
本発明の実施形態において、1つの表示領域が、連続領域であってもよく、非連続領域であってもよい、ことは理解すべきである。例えば、表示デバイスの中央領域は、1つの表示領域として設定されてもよく、中央領域の左側および右側の領域は、別の表示領域として設定される。この場合、当該別の表示領域は、非連続領域である。
【００５４】
本発明の実施形態において、受信側エンドポイントにおける複数の端末の表示デバイスが、同じ映像ストリームを提示するときは、同じ映像ストリームを提示するための表示領域が、1つの表示領域として参照されてもよい、ことは理解さらにすべきである。
【００５５】
本発明の実施形態において、テレビ会議におけるプレゼンテーションのための方法100は、制御デバイスにより実装されてもよく、テレビ会議を表示する受信側エンドポイントにより実装されてもよい。すなわち、テレビ会議におけるプレゼンテーションのための装置は、制御デバイスであってもよく、テレビ会議を表示する受信側エンドポイントであってもよい。
【００５６】
テレビ会議におけるプレゼンテーションのための方法100が制御デバイスにより実装されるとき、方法100はさらに以下のステップを含んでもよい。
複数の表示領域のうちの各表示領域に対応する提示対象の映像コンテンツと、指示情報と、を受信側エンドポイントに送るステップであって、指示情報を使用して、表示領域と提示対象の映像コンテンツとの間の対応を示して、受信側エンドポイントが、対応する提示対象の映像コンテンツを、複数の表示領域のうちの各表示領域を使用することにより提示するようにする、ステップ。
【００５７】
すなわち、受信側エンドポイントの複数の表示領域のうちの各表示領域に対応する提示対象の映像コンテンツを判定するステップの後、制御デバイスは、各表示領域に対応する提示対象の映像コンテンツを、受信側エンドポイントに送ってもよく、また、同時に、指示情報を受信側エンドポイントに送ってもよく、それにおいて、指示情報を使用して、表示領域と提示対象の映像コンテンツとの間の対応を示す。各送出側エンドポイントに対応する提示対象の映像コンテンツ、および指示情報が、同時に送られてもよい。例えば、各表示領域に対応する提示対象の映像コンテンツ、および指示情報は、統一様式で、圧縮されて送られてもよい。例えば、表示領域の識別子、および提示対象の映像コンテンツが、統一様式で、圧縮されて送られてもよい。もちろん、各送出側エンドポイントに対応する提示対象の映像コンテンツ、および指示情報は、同時に送られなくてもよい。指示情報は、黙示的情報であってもよく、明示的情報であってもよい。
【００５８】
テレビ会議におけるプレゼンテーションのための方法100が制御デバイスにより実装されるとき、方法100はさらに以下のステップを含んでもよい。
受信側エンドポイントによって、対応する提示対象の映像コンテンツを、複数の表示領域のうちの各表示領域を使用することにより提示するステップ。
【００５９】
すなわち、送出側エンドポイントは、映像ストリームを受信側エンドポイントに直接送ってもよく、別のデバイスを使用することにより、映像ストリームを受信側エンドポイントに送ってもよい。少なくとも1つの送出側エンドポイントのうちの各送出側エンドポイントの映像ストリームに従って、受信側エンドポイントの複数の表示領域のうちの各表示領域に対応する提示対象の映像コンテンツを判定するステップの後、受信側エンドポイントは、複数の表示領域のうちの各表示領域を使用することにより、対応する提示対象の映像コンテンツを、直接提示してもよい。
【００６０】
選択的に、本発明の実施形態において、S120における、各送出側エンドポイントの映像ストリームに従って、各送出側エンドポイントの映像ストリーム内の映像コンテンツをグレーディングするステップは、以下のステップを含んでもよい。
少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするステップ。
【００６１】
詳細には、少なくとも1つの送出側エンドポイントのうちの全てまたはいくつかの送出側エンドポイントの映像ストリームを受け取った後、テレビ会議におけるプレゼンテーションのための装置は、全てまたはいくつかの送出側エンドポイントの映像ストリームについて、人を単位にして、映像分割を行い、全てまたはいくつかの送出側エンドポイントの各参加者の映像コンテンツを取得し、各参加者の映像コンテンツについて、事象判定を行い、例えば、参加者の映像コンテンツが、基調演説者の映像コンテンツ、共同作業者の映像コンテンツ、話者の映像コンテンツ、または資料共有者の映像コンテンツであるのかを判定し、また、事象判定の後、各参加者の映像コンテンツをグレーディングして、各参加者の映像コンテンツの映像コンテンツグレードを判定し、例えば、基調演説者の映像コンテンツが、最高の映像コンテンツグレードの映像コンテンツであると判定する。
【００６２】
詳細には、本発明の実施形態において、各参加者の映像コンテンツについて事象判定を行うステップは、各参加者の特徴に従って、事象判定を行うステップであってもよい。例えば、参加者の顔の特徴または行動の特徴に従って、参加者が、基調演説者、共同作業者、または資料共有者であるのかが、判定される。
【００６３】
本発明の実施形態において、少なくとも1つの送出側エンドポイントのうちの全てまたはいくつかの送出側エンドポイントの映像ストリームを受け取るステップの後、テレビ会議におけるプレゼンテーションのための装置は、全てまたはいくつかの送出側エンドポイントの映像ストリームについて、映像分割を行ってもよい。分割された映像ストリームについて事象判定を行うことにより、全てまたはいくつかの送出側エンドポイントの映像ストリームのそれぞれの中に、データ文書が存在すると判定されるとき、テレビ会議におけるプレゼンテーションのための装置は、全てまたはいくつかの送出側エンドポイントの分割された映像ストリーム内のデータ文書をグレーディングして、データ文書の映像コンテンツグレードを判定してもよい。例えば、データ文書は、最高の映像コンテンツグレードの映像コンテンツである、と判定されてもよい。データ文書は、PPTファイル、Wordファイル、または画像ファイル、などとすることができる。
【００６４】
本発明の実施形態において、各送出側エンドポイントによって、テレビ会議におけるプレゼンテーションのための装置に送られる映像ストリームは、分割される必要のない映像ストリームとすることもできる、ことは理解すべきである。この場合、テレビ会議におけるプレゼンテーションのための装置は、分割される必要のない映像ストリームに従って、事象判定を直接行い、映像コンテンツグレードを判定してもよい。映像ストリームを分割する必要がないということは、映像ストリームが、各送出側エンドポイントにより既に分割されている、または、映像ストリーム自体が分割される必要がない、ということであり得る。例えば、撮影が行われているとき、異なるカメラを使用して異なるキャラクタが撮影され、異なるキャラクタに対応する映像コンテンツは、お互いに無関係に、1つの映像ストリーム内にあるので、分割される必要はない。
【００６５】
選択的に、本発明の実施形態において、前述の少なくとも1つの送出側エンドポイントのうちの全てまたはいくつかの送出側エンドポイントは、テレビ会議におけるプレゼンテーションのための装置に事象情報をさらに送ることができるため、テレビ会議におけるプレゼンテーションのための装置は、少なくとも1つの送出側エンドポイントのうちの全てまたはいくつかの送出側エンドポイントの事象情報を、受け取ることができ、そして、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツを、グレーディングすることができる。
【００６６】
本発明の実施形態において、前述の少なくとも1つの送出側エンドポイントのうちの全てまたはいくつかの送出側エンドポイントの事象情報を使用して、全てまたはいくつかの送出側エンドポイントにおける参加者事象を示すことができる。そして、この場合、テレビ会議におけるプレゼンテーションのための装置は、全てまたはいくつかの送出側エンドポイントの映像ストリームについて、人を単位にして、映像分割を行い、全てまたはいくつかの送出側エンドポイントにおける各参加者の映像コンテンツを取得し、全てまたはいくつかの送出側エンドポイントにおける参加者事象に従って、全てまたはいくつかの送出側エンドポイントにおける各参加者の映像コンテンツをグレーディングして、各参加者の映像コンテンツの映像コンテンツグレードを判定してもよい。選択的に、少なくとも1つの送出側エンドポイントのうちの全てまたはいくつかの送出側エンドポイントの事象情報を使用して、全てまたはいくつかの送出側エンドポイントにおける、基調演説者事象、共同作業者事象、話者事象、または資料共有者事象を示す。
【００６７】
詳細には、テレビ会議は、人々のコミュニケーションに重点を置くため、特に、送出側エンドポイントが設置される会場における参加者が重要であるときは、送出側エンドポイントの映像ストリームについて、人を単位にして、映像分割が行われることがある。そして、分割により取得される、送出側エンドポイントの各参加者の映像コンテンツが、送出側エンドポイントの事象情報に従って、グレーディングされる。例えば、送出側エンドポイントにより送られた事象情報を使用して、基調演説者事象を示す場合、基調演説者に対応する映像コンテンツがグレーディングされる。例えば、基調演説者に対応する映像コンテンツが、映像コンテンツグレードの高い映像コンテンツである、と判定され、別の参加者の映像コンテンツが、映像コンテンツグレードの低い映像コンテンツである、と判定されるかもしれない。詳細には、送出側エンドポイントにより送られた事象情報は、特定の参加者のロケーションを示すことができ、この場合、特定の参加者の映像コンテンツは、参加者のロケーションに従って、複数の参加者の映像コンテンツの中から判定されてもよく、次に、特定の参加者の映像コンテンツがグレーディングされ、また、特定の参加者以外の参加者に対応する映像コンテンツも、グレーディングされてもよい。代替えとして、送出側エンドポイントにより送られた事象情報は、特定の参加者の通番を示してもよく、この場合、参加者の行動の特徴が、特定の参加者の通番に従って判定されてもよく、特定の参加者の映像コンテンツは、参加者の行動の特徴に従って、複数の参加者の映像コンテンツの中から判定され、そして、特定の参加者の映像コンテンツがグレーディングされる。
【００６８】
本発明の実施形態において、各送出側エンドポイントによって、テレビ会議におけるプレゼンテーションのための装置に送られる映像ストリームは、分割される必要のない映像ストリームとすることもできる、ことは理解すべきである。この場合、テレビ会議におけるプレゼンテーションのための装置は、分割される必要のない映像ストリームと事象情報と、に従って、映像コンテンツグレードを直接判定してもよい。映像ストリームを分割する必要がないということは、映像ストリームが、各送出側エンドポイントにより既に分割されている、または、映像ストリーム自体が分割される必要がない、ということであり得る。例えば、撮影が行われているとき、異なるカメラを使用して異なるキャラクタが撮影され、異なるキャラクタに対応する映像コンテンツは、お互いに無関係に1つの映像ストリーム内にあるので、分割される必要はない。
【００６９】
本発明の実施形態において、前述の少なくとも1つの送出側エンドポイントのうちの全てまたはいくつかの送出側エンドポイントの事象情報を使用して、全てまたはいくつかの送出側エンドポイントがデータ文書を共有する必要があるということを示すことができ、全てまたはいくつかの送出側エンドポイントの映像ストリームにはデータ文書が含まれる。この場合、データ文書を、事象情報に従って、全てまたはいくつかの送出側エンドポイントの映像ストリームから分離させることができ、全てまたはいくつかの送出側エンドポイントの映像ストリームから分離されたデータ文書をグレーディングして、データ文書の映像コンテンツグレードを判定する。データ文書は、PPTファイル、Wordファイル、または画像ファイル、などとすることができる。
【００７０】
本発明の実施形態において、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツがグレーディングされた後に、方法100は以下のステップをさらに含んでもよい。
全てまたはいくつかの送出側エンドポイントのうちのいずれか1つの送出側エンドポイントの事象情報が変更された場合、全てまたはいくつかの送出側エンドポイントに対応する映像コンテンツグレードを動的に調整するステップ。
【００７１】
詳細には、送出側エンドポイントの事象情報が変更されるとき、テレビ会議におけるプレゼンテーションのための装置は、各送出側エンドポイントの映像ストリームの映像コンテンツを再グレーディングし、再判定された映像コンテンツグレードに対応する映像コンテンツに従って、受信側エンドポイントの複数の表示領域のうちの各表示領域に対応する提示対象のコンテンツを判定してもよく、それにおいて、事象情報の変更を使用して、テレビ会議の一次会場の変更を示すこと、話者の変更を示すこと、共同作業者の変更を示すこと、などを行うことができる。
【００７２】
本発明の実施形態において、S140にて、複数の表示領域のうちの各表示領域に対応する提示対象の映像コンテンツを判定するステップは、以下のステップを含んでもよい。
複数の映像コンテンツグレードのうちの各映像コンテンツグレードに対応する映像コンテンツと、映像のレイアウトとに従って、表示領域のうちの全てまたはいくつかに対応する提示対象の映像コンテンツを生成するステップであって、表示領域のうちの全てまたはいくつかに対応する、提示対象の映像コンテンツのうちの全てまたはいくつかのコンテンツが、サイズ変更および/またはカラーマーキングの様式で設定される、ステップ。
【００７３】
詳細には、1つの映像コンテンツグレードに対応する映像コンテンツが、少なくとも1つの送出側エンドポイントにより送られた複数の映像ストリーム内に存在する場合、映像コンテンツグレードに対応する表示領域の、提示対象の映像コンテンツが取得されるように、1つの映像コンテンツグレードに対応する全ての映像コンテンツに従って、映像が再生成される必要がある。さらに、選択的に、生成された提示対象の映像コンテンツ内の映像情報が、受信側エンドポイントにおけるユーザに対して、ハイライトされる必要がある場合、提示対象の映像コンテンツ内の映像情報を、サイズ変更および/またはカラーマーキングの視覚表現様式で設定することができる。もちろん、設定は、別の様式で実装されてもよく、例えば、アニメーションで表示されてもよい。
【００７４】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【００７５】
さらに、映像コンテンツがグレーディングされる際、焦点である情報に対応する映像コンテンツグレードが、焦点ではない情報に対応する映像コンテンツグレードより高いグレードに設定されてもよい。異なる表示領域に対応する提示対象の映像コンテンツには、異なる映像コンテンツグレードに対応する映像コンテンツが含まれるため、焦点である情報と焦点ではない情報とを、表示デバイスの異なる表示領域に分散させることができるので、テレビ会議の焦点である情報が、明瞭かつ自動的に提示され得、また、焦点ではない情報が、適切かつ補助的な様式で提示され得るため、表示領域における情報表示の適切性をさらに向上させることができる。
【００７６】
本発明の実施形態において、送出側エンドポイントの映像ストリーム内の映像コンテンツは、2つのグレード、すなわち、重要情報に対応するグレードと、補助的情報に対応するグレードと、にグレーディングされてもよい。詳細には、どの情報が重要情報としてグレーディングされ、どの情報が補助的情報としてグレーディングされるのか、について、表1を参照して説明する。
【００７７】
【表１】
2017523632.tif 000003
【００７８】
前述の表は、説明のために提供される単なる一例であり、本発明に対する何らかの制限であると解釈されるべきではなく、本発明の実施形態が他のグレーディング様式をさらに備えることができる、ということは理解すべきである。例えば、前述の表における映像コンテンツグレードには、2つのグレード、重要情報および補助的情報が含まれる。代替えとして、3またはそれ以上のグレードが設定されてもよい。例えば、人の重要度情報(補助的情報より高い重要度を有する)が、話者、討議において協力する人、および質問者、の重要度に従って、グレーディングされてもよい。
【００７９】
会場ごとの映像グレーディングと、複数の映像の会場の場合の各グレードに対応する映像コンテンツにより生成される映像ストリームのための視覚表現様式の設定と、について、表2を参照して説明する。ここでは、各会場の映像グレードには、2つのグレード(重要情報に対応するグレード、および補助的情報に対応するグレード)が含まれてもよく、表2においては、一次会場とは、基調演説者が配置される会場を指し、二次会場とは、基調演説者ではない人が配置される全ての会場を指す。
【００８０】
【表２Ａ】
2017523632.tif 000004
【００８１】
【表２Ｂ】
2017523632.tif 000005
【００８２】
前述の表2は、説明のために提供される単なる一例であり、本発明に対する何らかの制限であると解釈されるべきではなく、本発明の実施形態は、他のグレーディング様式、および映像情報の他の視覚表現様式をさらに含むことができ、これは特定の状況に従って判定されてもよい、ことは理解すべきである。
【００８３】
事象情報に従って、それぞれの映像の会場に対応するエンドポイントの映像ストリームを、どのようにグレーディングするのか、および、各グレードに対応する提示対象の映像コンテンツの視覚表現様式をどのように設定するのか、については、表2を参照して説明する。以下では、図2を参照して、グレード設定と、受信側エンドポイントが3スクリーン端末である場合のグレードの、グレードに対応する提示対象の映像コンテンツに含まれるコンテンツと、について説明する。
【００８４】
図2では、Aには、共有する資料がない場合の、一次会場に対応するエンドポイントの映像コンテンツを表示し、中央領域は、一次会場に対応するエンドポイントにおける、基調演説者(重要情報)に対応する領域であり、両側の領域は、一次会場に対応するエンドポイントにおける、基調演説者ではない人(補助的情報)に対応する領域である。1人の参加者が、基調演説者ではない人に対応する領域においてマーキングされており、これにより、この参加者が話者であることを示す、ことが分かる。複数の話者がいる場合、該複数の話者がハイライトされる。Bには、資料が共有される場合の、一次会場に対応するエンドポイントの映像コンテンツを表示し、中央領域は、一次会場に対応するエンドポイントにおける、基調演説者と共有される資料(重要情報)とに対応する領域であり、両側の領域は、一次会場に対応するエンドポイントにおける、基調演説者ではない人(補助的情報)に対応する領域である。Cには、共有する資料がない場合の、二次会場に対応するエンドポイントの映像コンテンツを表示し、中央領域は、二次会場に対応するエンドポイントにおける、基調演説者(重要情報)に対応する領域であり、両側の領域は、二次会場に対応するエンドポイントにおける、基調演説者ではない人(補助的情報)に対応する領域である。中央領域にある基調演説者のサイズは、一次会場の中央領域にある基調演説者のサイズより大きく、すなわち、中央領域にある基調演説者が、サイズ拡大の様式で、ハイライトされている、ことが分かる。Dには、資料が共有される場合の、二次会場に対応するエンドポイントの映像コンテンツを表示し、中央領域は、二次会場に対応するエンドポイントにおける、基調演説者(重要情報)に対応する領域であり、両側の領域は、二次会場に対応するエンドポイントにおける、基調演説者ではない人(補助的情報)に対応する領域である。中央領域にある基調演説者のサイズは、一次会場の中央領域にある基調演説者のサイズより大きく、すなわち、中央領域にある基調演説者が、サイズ拡大の様式で、ハイライトされている、ことが分かる。Eには、資料が共有され、かつ、共同作業者がいる場合の、基調演説者が配置される会場(または二次会場)に対応するエンドポイントの映像コンテンツを表示し、中央領域は、基調演説者、共同作業者、および共有される資料(重要情報)に対応する領域であり(共同作業に参加する人が複数人連続する場合は、連続的に人が追加され、普通の共同作業および討議の会議では、特定の時間内で共同作業に参加する人が多すぎることはなく、基本的には共同作業に参加する全ての人を表示することが可能であるが、多くの人が共同作業に参加する極端な場合は、共同作業および討議に参加する人を、先入れ先出しの原則に従って表示する)、両側の領域は、一次会場(または二次会場)に対応するエンドポイントにおける、基調演説者ではない人(補助的情報)に対応する領域である。
【００８５】
表示デバイス上の表示画像には、前述のA、B、C、D、およびEのうちの1つまたは複数の画像が含まれてもよい、ことは理解すべきである。例えば、AおよびBの画像が含まれてもよく、Aの画像と、Bの画像とにより占有される表示領域は、重ならない。すなわち、Aの重要情報および補助的情報が、2つの表示領域を占有し、Bの重要情報および補助的情報が、別の2つの表示領域を占有する。
【００８６】
図3aから図3cは、現在のメインストリーム端末の形態の表示デバイス上の表示領域の分割を示す図である。
【００８７】
図3aは、3スクリーン表示デバイス上の表示領域の区分である。3スクリーン表示デバイスは、4つの表示領域、すなわち、表示領域A、a、B、およびb、に区分することができ、異なる表示領域が、異なる映像コンテンツグレードに対応する提示対象の映像コンテンツを表示することができる。例えば、表示領域Aは、一次会場に対応するエンドポイントの重要情報を表示することができ、表示領域aは、二次会場に対応するエンドポイントの重要情報を表示することができ、表示領域Bは、一次会場に対応するエンドポイントの補助的情報を表示することができ、表示領域bは、二次会場に対応するエンドポイントの補助的情報を表示することができる。
【００８８】
図3bは、1スクリーン表示デバイス上の表示領域の区分である。1スクリーン表示デバイスは、2つの表示領域、すなわち、表示領域Aおよびaに区分することができる。表示デバイスは、テレビ会議が2つの会場で行われる場合に、使用されてもよい。すなわち、テレビ会議のピア側の画像のみが表示される必要がある。表示領域Aは、ピア会場に対応するエンドポイントの重要情報を表示することができ、表示領域aは、ピア会場に対応するエンドポイントの補助的情報を表示することができる。
【００８９】
図3cは、種々の端末の表示デバイス上の表示領域を区分することの効果を説明する図であり、a1は、デスクトップコンピュータの表示領域区分を示し、a2は、ラップトップコンピュータの表示領域区分を示し、a3は、タブレットコンピュータの表示領域区分を示し、a4は、携帯電話の表示領域区分を示し、a5は、会議端末(meeting concierge)の表示領域区分を示す。
【００９０】
本発明の実施形態において、送出側エンドポイントが、制御デバイスに音声ストリームをさらに送ることができ、制御デバイスが、音声ストリームを受信側エンドポイントに送ること、ことは理解すべきである。特定の実装については従来技術を参照することができ、本明細書において詳細について説明しない。
【００９１】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【００９２】
さらに、映像コンテンツがグレーディングされる際、焦点である情報に対応する映像コンテンツグレードが、焦点ではない情報に対応する映像コンテンツグレードより高いグレードに設定されてもよい。異なる表示領域に対応する提示対象の映像コンテンツには、異なる映像コンテンツグレードに対応する映像コンテンツが含まれるため、焦点である情報と焦点ではない情報とを、表示デバイスの異なる表示領域に分散させることができるので、テレビ会議の焦点である情報が、明瞭かつ自動的に提示され得、また、焦点ではない情報が、適切かつ補助的な様式で提示され得るため、表示領域における情報表示の適切性をさらに向上させることができる。
【００９３】
図4は、本発明の一実施形態に係る、テレビ会議におけるプレゼンテーションのための装置300の概略ブロック図である。図4に示すように、装置200は以下を含む。
受信ユニット210:少なくとも1つの送出側エンドポイントのうちの各送出側エンドポイントの映像ストリームを受け取るように構成される。
第1の判定ユニット220:各送出側エンドポイントの映像ストリームに従って、各送出側エンドポイントの映像ストリーム内の映像コンテンツをグレーディングして、各送出側エンドポイントに対応する映像コンテンツグレードを判定するように構成され、少なくとも1つの送出側エンドポイントは、複数の映像コンテンツグレードに対応する。
第2の判定ユニット230:映像のレイアウトを判定するように構成され、映像のレイアウトを使用して複数の映像コンテンツグレードのうちの各映像コンテンツグレードに対応する表示領域を示し、表示領域は、受信側エンドポイントの複数の表示領域に含まれる表示領域であり、映像コンテンツグレードは、表示領域1つ1つに対応する。
第3の判定ユニット240:複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するように構成され、異なる表示領域に対応する提示対象の映像コンテンツは、異なる映像コンテンツグレードに対応する映像コンテンツを含む。
【００９４】
選択的に、本発明の実施形態において、装置300は制御デバイスである。図5に示すように、装置200は以下をさらに含む。
送出ユニット250:複数の表示領域のうちの各表示領域に対応する提示対象の映像コンテンツと、指示情報と、を受信側エンドポイントに送るように構成され、指示情報を使用して、表示領域と提示対象の映像コンテンツとの間の対応を示して、受信側エンドポイントが、対応する提示対象の映像コンテンツを、複数の表示領域のうちの各表示領域を使用することにより提示するようにする。
【００９５】
選択的に、本発明の実施形態において、装置200は受信側エンドポイントである。図6に示すように、装置200は以下をさらに含む。
提示ユニット260:対応する提示対象の映像コンテンツを、複数の表示領域のうちの各表示領域を使用することにより提示するように構成される。
【００９６】
選択的に、本発明の実施形態において、受信ユニット210は、少なくとも1つの送出側エンドポイントのうちの全てまたはいくつかの送出側エンドポイントの事象情報を受け取るようにさらに構成される。第1の判定ユニット220は、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするように、特に構成される。
【００９７】
選択的に、少なくとも1つの送出側エンドポイントのうちの全てまたはいくつかの送出側エンドポイントの事象情報を使用して、全てまたはいくつかの送出側エンドポイントにおける参加者事象を示す。第1の判定ユニット320は、全てまたはいくつかの送出側エンドポイントの映像ストリームについて、人を単位にして、映像分割を行い、全てまたはいくつかの送出側エンドポイントにおける各参加者の映像コンテンツを取得し、全てまたはいくつかの送出側エンドポイントにおける参加者事象に従って、全てまたはいくつかの送出側エンドポイントにおける各参加者の映像コンテンツをグレーディングして、各参加者の映像コンテンツの映像コンテンツグレードを判定する、ように特に構成される。
【００９８】
選択的に、少なくとも1つの送出側エンドポイントのうちの全てまたはいくつかの送出側エンドポイントの事象情報を使用して、全てまたはいくつかの送出側エンドポイントにおける、基調演説者事象、共同作業者事象、話者事象、または資料共有者事象を示す。
【００９９】
選択的に、少なくとも1つの送出側エンドポイントのうちの全てまたはいくつかの送出側エンドポイントの事象情報を使用して、全てまたはいくつかの送出側エンドポイントがデータ文書を共有する必要があるということを示し、全てまたはいくつかの送出側エンドポイントの映像ストリームにはデータ文書が含まれ、また、第1の判定ユニット220は、事象情報に従って、全てまたはいくつかの送出側エンドポイントの映像ストリームから分離させ、全てまたはいくつかの送出側エンドポイントの映像ストリームから分離されたデータ文書をグレーディングして、データ文書の映像コンテンツグレードを判定する、ように特に構成される。
【０１００】
選択的に、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツがグレーディングされた後に、第1の判定ユニット220は、全てまたはいくつかの送出側エンドポイントのうちのいずれか1つの送出側エンドポイントの事象情報が変更された場合、全てまたはいくつかの送出側エンドポイントに対応する映像コンテンツグレードを動的に調整するように、さらに構成される。
【０１０１】
選択的に、第1の判定ユニット220は、少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするように、特に構成される。
【０１０２】
選択的に、第1の判定ユニット220は、全てまたはいくつかの送出側エンドポイントの映像ストリームについて、人を単位にして、映像分割を行い、全てまたはいくつかの送出側エンドポイントにおける各参加者の映像コンテンツを取得し、また、各参加者の映像コンテンツについて、事象判定を行い、事象判定の後に、各参加者の映像コンテンツをグレーディングして、各参加者の映像コンテンツの映像コンテンツグレードを判定する、ように特に構成される。
【０１０３】
選択的に、第1の判定ユニット220は、参加者の映像コンテンツが、基調演説者の映像コンテンツ、共同作業者の映像コンテンツ、話者の映像コンテンツ、または資料共有者の映像コンテンツであるのかを判定するように特に構成される。
【０１０４】
選択的に、第1の判定ユニット220は、全てまたはいくつかの送出側エンドポイントの映像ストリームについて、映像分割を行い、全てまたはいくつかの送出側エンドポイントの映像ストリームのそれぞれの中に、データ文書が存在すると判定し、全てまたはいくつかの送出側エンドポイントの分割された映像ストリーム内のデータ文書をグレーディングして、データ文書の映像コンテンツグレードを判定する、ように特に構成される。
【０１０５】
選択的に、第1の判定ユニット220は、各送出側エンドポイントの映像ストリーム内の映像コンテンツをグレーディングするように特に構成され、各送出側エンドポイントに対応する映像コンテンツグレードは、別の送出側エンドポイントの映像コンテンツグレードと重複しない。
【０１０６】
選択的に、第3の判定ユニット240は、複数の映像コンテンツグレードのうちの各映像コンテンツグレードに対応する映像コンテンツと、映像のレイアウトとに従って、表示領域のうちの全てまたはいくつかに対応する提示対象の映像コンテンツを生成するように特に構成され、表示領域のうちの全てまたはいくつかに対応する、提示対象の映像コンテンツのうちの全てまたはいくつかのコンテンツが、サイズ変更および/またはカラーマーキングの様式で設定される。
【０１０７】
本発明の実施形態において、第1の判定ユニット220が、映像ストリームをデコードする機能をさらに実装することができる、ことは理解すべきである。すなわち、受信ユニット210により受け取られる映像ストリーム内の映像コンテンツがグレーディングされる前に、第1の判定ユニット220は、受信ユニットにより受け取られる映像ストリームをデコードすることができる。第3の判定ユニット240は、各映像コンテンツグレードに対応する映像コンテンツをエンコードし、エンコードされた映像コンテンツを受信側エンドポイントに送ってもよく、すなわち、エンコード機能を実装してもよい。
【０１０８】
本発明の実施形態において、テレビ会議におけるプレゼンテーションのための装置200が、受け取ったエンドポイントの音声に対しエンコードおよびデコードを行うように構成される音声エンコード/デコードユニットをさらに含むこと、ことは理解さらにすべきである。
【０１０９】
テレビ会議におけるプレゼンテーションのための装置200が、方法100におけるテレビ会議におけるプレゼンテーションのための装置200に対応し得、方法100における対応する機能を実装するように構成されること、ことは理解さらにすべきであり、詳細については、簡略化のために本明細書では再度説明しない。
【０１１０】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【０１１１】
さらに、映像コンテンツがグレーディングされる際、焦点である情報に対応する映像コンテンツグレードが、焦点ではない情報に対応する映像コンテンツグレードより高いグレードに設定されてもよい。異なる表示領域に対応する提示対象の映像コンテンツには、異なる映像コンテンツグレードに対応する映像コンテンツが含まれるため、焦点である情報と焦点ではない情報とを、表示デバイスの異なる表示領域に分散させることができるので、テレビ会議の焦点である情報が、明瞭かつ自動的に提示され得、また、焦点ではない情報が、適切かつ補助的な様式で提示され得るため、表示領域における情報表示の適切性をさらに向上させることができる。
【０１１２】
図7は、本発明の一実施形態に係る、テレビ会議におけるプレゼンテーションのための装置300の概略ブロック図である。図7に示すように、テレビ会議におけるプレゼンテーションのための装置300には、トランシーバ310、プロセッサ320、メモリ330、およびバス340が含まれる。トランシーバ310は、エンドポイントと接続される通信を実装するように構成される。バス340は、制御デバイスの内部パーツ間の通信接続を実装するように構成される。メモリ330は、プログラムコードを記憶するように構成される。プロセッサ320は、メモリ330内に記憶されたプログラムコードを呼び出して、以下の動作を実行するように構成される。
トランシーバ310を使用することにより、少なくとも1つの送出側エンドポイントのうちの各送出側エンドポイントの映像ストリームを受け取るステップ。
各送出側エンドポイントの映像ストリームに従って、各送出側エンドポイントの映像ストリーム内の映像コンテンツをグレーディングして、各送出側エンドポイントに対応する映像コンテンツグレードを判定するステップであって、少なくとも1つの送出側エンドポイントは、複数の映像コンテンツグレードに対応する、ステップ。
映像のレイアウトを判定するステップであって、映像のレイアウトを使用して複数の映像コンテンツグレードのうちの各映像コンテンツグレードに対応する表示領域を示し、表示領域は、受信側エンドポイントの複数の表示領域に含まれる表示領域であり、映像コンテンツグレードは、表示領域1つ1つに対応する、ステップ。
複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するステップであって、異なる表示領域に対応する提示対象の映像コンテンツは、異なる映像コンテンツグレードに対応する映像コンテンツを含む、ステップ。
【０１１３】
選択的に、装置300は制御デバイスであり、プロセッサ320は、メモリ330内に記憶されたプログラムコードを呼び出して、以下の動作をさらに実行するように構成される。
トランシーバ310を使用することにより、複数の表示領域のうちの各表示領域に対応する提示対象の映像コンテンツと、指示情報と、を受信側エンドポイントに送るステップであって、指示情報を使用して、表示領域と提示対象の映像コンテンツとの間の対応を示して、受信側エンドポイントが、対応する提示対象の映像コンテンツを、複数の表示領域のうちの各表示領域を使用することにより提示するようにする、ステップ。
【０１１４】
選択的に、装置300は受信側エンドポイントであり、プロセッサ320は、メモリ330内に記憶されたプログラムコードを呼び出して、複数の表示領域のうちの各表示領域を使用することにより、対応する提示対象の映像コンテンツを提示するステップ、をさらに実行する、ように構成される。
【０１１５】
プロセッサ320は、メモリ330内に記憶されたプログラムコードを呼び出して、以下の動作を特に実行するように構成される。
トランシーバ310を使用することにより、少なくとも1つの送出側エンドポイントのうちの全てまたはいくつかの送出側エンドポイントの事象情報を受け取るステップ。
全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするステップ。
【０１１６】
選択的に、少なくとも1つの送出側エンドポイントのうちの全てまたはいくつかの送出側エンドポイントの事象情報を使用して、全てまたはいくつかの送出側エンドポイントにおける参加者事象を示し、プロセッサ320は、メモリ330内に記憶されたプログラムコードを呼び出して、以下の動作を特に実行するように構成される。
全てまたはいくつかの送出側エンドポイントの映像ストリームについて、人を単位にして、映像分割を行い、全てまたはいくつかの送出側エンドポイントにおける各参加者の映像コンテンツを取得するステップ。
全てまたはいくつかの送出側エンドポイントにおける参加者事象に従って、全てまたはいくつかの送出側エンドポイントにおける各参加者の映像コンテンツをグレーディングして、各参加者の映像コンテンツの映像コンテンツグレードを判定する、ステップ。
【０１１７】
選択的に、少なくとも1つの送出側エンドポイントのうちの全てまたはいくつかの送出側エンドポイントの事象情報を使用して、全てまたはいくつかの送出側エンドポイントにおける、基調演説者事象、共同作業者事象、話者事象、または資料共有者事象を示す。
【０１１８】
選択的に、少なくとも1つの送出側エンドポイントのうちの全てまたはいくつかの送出側エンドポイントの事象情報を使用して、全てまたはいくつかの送出側エンドポイントがデータ文書を共有する必要があるということを示し、全てまたはいくつかの送出側エンドポイントの映像ストリームにはデータ文書が含まれる。プロセッサ320は、メモリ330内に記憶されたプログラムコードを呼び出して、データ文書を、事象情報に従って、全てまたはいくつかの送出側エンドポイントの映像ストリームから分離させ、全てまたはいくつかの送出側エンドポイントの映像ストリームから分離されたデータ文書をグレーディングして、データ文書の映像コンテンツグレードを判定するステップ、を特に実行するように構成される。
【０１１９】
選択的に、プロセッサ320は、メモリ330内に記憶されたプログラムコードを呼び出して、全てまたはいくつかの送出側エンドポイントの事象情報に従って、かつ、全てまたはいくつかの送出側エンドポイントの映像ストリームに従って、全てまたはいくつかの送出側エンドポイントの映像ストリーム内の映像コンテンツをグレーディングするステップの後に、全てまたはいくつかの送出側エンドポイントのうちのいずれか1つの送出側エンドポイントの事象情報が変更された場合、全てまたはいくつかの送出側エンドポイントに対応する映像コンテンツグレードを動的に調整するステップ、を特に実行するように構成される。
【０１２０】
選択的に、プロセッサ320、メモリ330内に記憶されたプログラムコードを呼び出して、少なくとも1つの送出側エンドポイントのうちの全てまたはいくつかの送出側エンドポイントの映像ストリーム内の映像コンテンツについて、事象判定を行い、事象判定の後に、全てまたはいくつかの送出側エンドポイントの映像ストリーム内の映像コンテンツをグレーディングするステップ、を特に実行するように構成される。
【０１２１】
プロセッサ320は、メモリ330内に記憶されたプログラムコードを呼び出して、以下の動作を特に実行するように構成される。全てまたはいくつかの送出側エンドポイントの映像ストリームについて、人を単位にして、映像分割を行い、全てまたはいくつかの送出側エンドポイントの各参加者の映像コンテンツを取得するステップ。
各参加者の映像コンテンツについて事象判定を行い、事象判定の後に、各参加者の映像コンテンツをグレーディングして、各参加者の映像コンテンツの映像コンテンツグレードを判定するステップ。
【０１２２】
プロセッサ320は、メモリ330内に記憶されたプログラムコードを呼び出して、参加者の映像コンテンツが、基調演説者の映像コンテンツ、共同作業者の映像コンテンツ、話者の映像コンテンツ、または資料共有者の映像コンテンツであると判定するステップ、を特に実行するように構成される。
【０１２３】
プロセッサ320は、メモリ330内に記憶されたプログラムコードを呼び出して、以下の動作を特に実行するように構成される。全てまたはいくつかの送出側エンドポイントの映像ストリームについて、映像分割を行い、全てまたはいくつかの送出側エンドポイントの映像ストリームのそれぞれの中に、データ文書が存在すると判定するステップ。
全てまたはいくつかの送出側エンドポイントの分割された映像ストリーム内のデータ文書をグレーディングして、データ文書の映像コンテンツグレードを判定するステップ。
【０１２４】
プロセッサ320は、メモリ330内に記憶されたプログラムコードを呼び出して、各送出側エンドポイントの映像ストリーム内の映像コンテンツをグレーディングするステップであって、各送出側エンドポイントに対応する映像コンテンツグレードは、別の送出側エンドポイントの映像コンテンツグレードと重複しない、ステップ、を特に実行するように構成される。
【０１２５】
プロセッサ320は、メモリ330内に記憶されたプログラムコードを呼び出して、複数の映像コンテンツグレードのうちの各映像コンテンツグレードに対応する映像コンテンツと、映像のレイアウトとに従って、表示領域のうちの全てまたはいくつかに対応する提示対象の映像コンテンツを生成するステップであって、表示領域のうちの全てまたはいくつかに対応する、提示対象の映像コンテンツのうちの全てまたはいくつかのコンテンツが、サイズ変更および/またはカラーマーキングの様式で設定される、ステップ、を特に実行するように構成される。
【０１２６】
本発明の実施形態において、テレビ会議におけるプレゼンテーションのための装置300のプロセッサが、映像ストリームをエンコードおよびデコードする機能を実装することができること、または、テレビ会議におけるプレゼンテーションのための装置300が、映像ストリームをエンコードおよびデコードする、エンコーダおよびデコーダをさらに含むことができる、ことは理解すべきである。
【０１２７】
テレビ会議におけるプレゼンテーションための装置300が、方法100におけるテレビ会議におけるプレゼンテーションための装置に対応し得、方法100における対応する機能を実装するように構成されること、ことは理解さらにすべきであり、詳細については、簡略化のために本明細書では再度説明しない。
【０１２８】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【０１２９】
さらに、映像コンテンツがグレーディングされる際、焦点である情報に対応する映像コンテンツグレードが、焦点ではない情報に対応する映像コンテンツグレードより高いグレードに設定されてもよい。異なる表示領域に対応する提示対象の映像コンテンツには、異なる映像コンテンツグレードに対応する映像コンテンツが含まれるため、焦点である情報と焦点ではない情報とを、表示デバイスの異なる表示領域に分散させることができるので、テレビ会議の焦点である情報が、明瞭かつ自動的に提示され得、また、焦点ではない情報が、適切かつ補助的な様式で提示され得るため、表示領域における情報表示の適切性をさらに向上させることができる。
【０１３０】
図8は、本発明の別の実施形態に係る、テレビ会議におけるプレゼンテーションのためのシステムである。図8に示すように、システムは、テレビ会議におけるプレゼンテーションのための装置410、および少なくとも1つの送出側エンドポイント420を含むことができる。テレビ会議におけるプレゼンテーションのための装置410は、テレビ会議におけるプレゼンテーションのための前述の装置200または300に対応し得、詳細については、簡略化のために本明細書では再度説明しない。
【０１３１】
少なくとも1つの送出側エンドポイントのうちのいずれか1つの送出側エンドポイントが、送出側エンドポイントと受信側エンドポイントとの両方であり得ること、すなわち、テレビ会議におけるプレゼンテーションのための装置410に映像ストリームを送ることができること、また、テレビ会議におけるプレゼンテーションのための装置410により送られ、かつ、別の送出側エンドポイントにより送られる映像ストリームに従って判定される、提示対象の映像コンテンツを受け取ることもできる、ことは理解すべきである。特定の実装の動作については、前述の説明を参照することができる。
【０１３２】
本発明においては、1つまたは複数の送出側エンドポイントがあってもよいが、図8では複数の送出側エンドポイントが示されている、ことは理解すべきである。図8のテレビ会議におけるプレゼンテーションのための装置410自体は、送出側エンドポイントであっても、受信側エンドポイントであってもよい。
【０１３３】
図9は、本発明の実施形態に係る、エンドポイント500の概略ブロック図である。図9に示すように、エンドポイント500は、バス510、トランシーバ520、プロセッサ530、およびメモリ540を含むことができる。
【０１３４】
選択的に、図9に示すように、エンドポイント500は、カメラ550、記録デバイス560などを含むことができる。カメラ550および記録デバイス560は、それぞれ、映像撮影および音声記録を行うことができる。プロセッサ530は、メモリに記憶されたプログラムコードを呼び出して、カメラで撮影された映像をエンコードし、記録デバイスにより記録された音声をエンコードして、エンコードされた音声および映像を取得し、コーデックにより取得された音声および映像を、トランシーバ520を使用することにより、テレビ会議におけるプレゼンテーションのための装置410(制御デバイスまたは受信側エンドポイントであってもよい)に送る。この場合、エンドポイント500は、上記で触れたように、送出側エンドポイントとして使用されてもよい。
【０１３５】
選択的に、図9に示すように、エンドポイント500は、マイク570、表示デバイス580などを含むことができる。プロセッサ530は、トランシーバ520を使用することにより、テレビ会議におけるプレゼンテーションのための装置410により送られる音声と映像のストリームを受け取り、デコードを実行し、そして、表示デバイス580を使用することにより、対応する表示領域内に映像ストリームを提示し、マイク570を使用することにより、音声を出力する、ことができる。エンドポイント500が、エンコーダおよびデコーダをさらに含むことができる、ことは理解すべきである。すなわち、プロセッサは、エンコード機能およびデコード機能を実装しないが、エンコーダおよびデコーダが、エンコードおよびデコードを実施する。この場合、エンドポイント500は、上記で触れたように、受信側エンドポイントとして使用されてもよい。選択的に、エンドポイント500は、送出側エンドポイントにより送られた映像ストリームを受け取り、デコードを実行し、各表示領域に対応する提示対象の映像コンテンツを判定し(詳細については、方法100を参照のこと)、そして、表示デバイス580を使用することにより、対応する表示領域内に提示対象の映像コンテンツを提示し、マイク570を使用することにより、音声を出力してもよい。
【０１３６】
従って、本発明の実施形態において、少なくとも1つの送出側エンドポイントのうちの各送出側エンドポイントの映像ストリームが受け取られた後、各送出側エンドポイントの映像ストリーム内の映像コンテンツがグレーディングされて、少なくとも1つの送出側エンドポイントに対応する複数の映像コンテンツグレードが取得され、映像のレイアウトが判定され、映像のレイアウトは、受信側エンドポイントの複数の表示領域のうちの、複数の映像コンテンツグレードのうちの各映像コンテンツグレードに対応する表示領域を示し、複数の表示領域のうちの各表示領域に対応する提示対象の映像コンテンツが、複数の映像コンテンツグレードのうちの各映像コンテンツグレードに対応する映像コンテンツと、映像のレイアウトとに従って、判定されるため、対応する提示対象の映像コンテンツを、複数の表示領域のうちの各表示領域を使用することにより提示することができ、それにおいて、異なる表示領域に対応する提示対象の映像コンテンツは、異なる映像コンテンツグレードに対応する映像コンテンツを含む。このことが、情報が表示領域により適切に表示されることを可能にし、ユーザによる手動の選択および調整を回避し、それによって、テレビ会議経験を向上させる。ユーザは、何の操作も行う必要がないため、会議そのものに全注意を集中させ、会議がより効率的なものとなる。
【０１３７】
さらに、映像コンテンツがグレーディングされる際、焦点である情報に対応する映像コンテンツグレードが、焦点ではない情報に対応する映像コンテンツグレードより高いグレードに設定されてもよい。異なる表示領域に対応する提示対象の映像コンテンツには、異なる映像コンテンツグレードに対応する映像コンテンツが含まれるため、焦点である情報と焦点ではない情報とを、表示デバイスの異なる表示領域に分散させることができるので、テレビ会議の焦点である情報が、明瞭かつ自動的に提示され得、また、焦点ではない情報が、適切かつ補助的な様式で提示され得るため、表示領域における情報表示の適切性をさらに向上させることができる。
【０１３８】
当業者は、本明細書に開示される実施形態において記載される例を組み合わせて、各ユニットおよびアルゴリズムのステップが、電子的ハードウェア、またはコンピュータソフトウェアと電子的ハードウェアとの組み合わせ、により実装され得ることに気付くことができる。機能が、ハードウェアにより実行されるのか、ソフトウェアにより実行されるのかは、技術的解決法の特定の用途、および設計上の制約条件によって変わる。当業者は、異なる方法を使用して、各特定の用途について記載の機能を実装することができるが、当該実装が本発明の範囲を超えるとは考えるべきではない。
【０１３９】
説明の便宜上および簡略化を期するため、前述のシステム、装置、およびユニットの詳細な作業工程については、前述の方法の実施形態における対応する工程を参照することができることが、当業者により明らかに理解され得、詳細については、本明細書では再度説明しない。
【０１４０】
本願において提供されるいくつかの実施形態において、開示されるシステム、装置、および方法が、他の様式で実装されてもよい、ことは理解すべきである。例えば、記載された装置の実施形態は、単なる例である。例えば、ユニットの区分は、単に論理的機能の区分であり、実際の実装においては、他の区分であってもよい。例えば、複数のユニットまたは構成要素は、別のシステムに組み合わせもしくは統合されてもよく、または、いくつかの特徴が無視されてもよいし、実行されなくてもよい。加えて、表示または検討される、相互結合もしくは直接結合または通信接続は、いくつかのインターフェースを介して実装されてもよい。装置またはユニットの間の、間接結合または通信接続は、電子的形態、機械的形態、または他の形態で実装されてもよい。
【０１４１】
別個のパーツとして記載されるユニットは、物理的に別個であっても別個でなくてもよく、また、ユニットとして表示されるパーツは、物理的なユニットであっても物理的なユニットでなくてもよく、1つの位置に配置されてもよく、複数のネットワークユニット上に分散されてもよい。ユニットのうちのいくつかまたは全てが、実際の必要性に従って選択されて、実施形態の解決法の目的を達成することができる。
【０１４２】
加えて、本発明の実施形態における機能ユニットは、1つの処理ユニットに統合されてもよく、または、ユニットのそれぞれが物理的に単独で存在してもよく、もしくは、2つ以上のユニットが1つのユニットに統合されてもよい。
【０１４３】
機能が、ソフトウェア機能ユニットの形態で実装され、かつ、独立した製品として販売されまたは使用されるとき、機能は、コンピュータ可読記憶媒体内に記憶されてもよい。かかる理解に基づき、本発明の技術的解決法は本質的に、または、従来技術に寄与する部分、または、技術的解決法のうちのいくつかは、ソフトウェア製品の形態で実装されてもよい。ソフトウェア製品は、記憶媒体内に記憶され、コンピュータデバイス(パーソナルコンピュータ、サーバ、またはネットワークデバイスであってもよい)に命令して、本発明の実施形態において記載される方法のステップのうちの全てまたはいくつかを実行させるためのいくつかの命令を含む。前述の記憶媒体には、プログラムコードを記憶することができる任意の媒体、例えば、USBフラッシュドライブ、着脱可能ハードディスク、リードオンリーメモリ(ROM、Read-Only Memory)、ランダムアクセスメモリ(RAM、Random Access Memory)、磁気ディスク、または、光ディスク、などが含まれてもよい。
【０１４４】
前述の説明は、単に、本発明の特定の実装様式であり、本発明の保護範囲を制限することは意図されない。本発明において開示される記述範囲内で、当業者により容易に考え出される任意の変形または置き換えは、本発明の保護範囲内にあるものとする。従って、本発明の保護範囲は、請求項の保護範囲の対象となるものとする。
【符号の説明】
【０１４５】
200  装置
210  受信ユニット
220  第1の判定ユニット
230  第2の判定ユニット
240  第3の判定ユニット
250  送出ユニット
260  提示ユニット
300  装置
310  トランシーバ
320  プロセッサ
330  メモリ
340  バス
410  テレビ会議におけるプレゼンテーションのための装置
420  エンドポイント
500  エンドポイント
510  バス
520  トランシーバ
530  プロセッサ
540  メモリ
550  カメラ
560  記録デバイス
570  マイク
580  表示デバイス
【図１】
2017523632.tif 000006
【図２Ａ】
2017523632.tif 000007
【図２Ｂ】
2017523632.tif 000008
【図２Ｃ】
2017523632.tif 000009
【図２Ｄ】
2017523632.tif 000010
【図２Ｅ】
2017523632.tif 000011
【図３ａ】
2017523632.tif 000012
【図３ｂ】
2017523632.tif 000013
【図３ｃ】
2017523632.tif 000014
【図４】
2017523632.tif 000015
【図５】
2017523632.tif 000016
【図６】
2017523632.tif 000017
【図７】
2017523632.tif 000018
【図８】
2017523632.tif 000019
【図９】
2017523632.tif 000020
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
テレビ会議におけるプレゼンテーションのための方法であって、
少なくとも1つの送出側エンドポイントのうちの各送出側エンドポイントの映像ストリームを受け取るステップと、
各送出側エンドポイントの前記映像ストリームに従って、各送出側エンドポイントの前記映像ストリーム内の映像コンテンツをグレーディングして、各送出側エンドポイントに対応する映像コンテンツグレードを判定するステップであって、前記少なくとも1つの送出側エンドポイントは、複数の映像コンテンツグレードに対応する、ステップと、
映像のレイアウトを判定するステップであって、前記映像のレイアウトを使用して前記複数の映像コンテンツグレードのうちの各映像コンテンツグレードに対応する表示領域を示し、前記表示領域は、受信側エンドポイントの複数の表示領域のうちの1つであり、前記映像コンテンツグレードは、前記表示領域1つ1つに対応する、ステップと、
前記複数の映像コンテンツグレードのうちの各映像コンテンツグレードに対応する映像コンテンツと、前記映像のレイアウトとに従って、前記複数の表示領域のうちの各表示領域に対応する提示対象の映像コンテンツを判定するステップであって、前記複数の表示領域のうちの各表示領域を使用することにより、前記対応する提示対象の映像コンテンツを提示するようにする、ステップであって、異なる表示領域に対応する提示対象の映像コンテンツは、異なる映像コンテンツグレードに対応する映像コンテンツを含む、ステップと、を含む方法。
【請求項２】
前記方法は、制御デバイスにより実行され、前記方法は、
前記複数の表示領域のうちの各表示領域に対応する前記提示対象の映像コンテンツと、指示情報と、を前記受信側エンドポイントに送るステップであって、前記指示情報を使用して、前記表示領域と前記提示対象の映像コンテンツとの間の対応を示して、前記受信側エンドポイントが、前記対応する提示対象の映像コンテンツを、前記複数の表示領域のうちの各表示領域を使用することにより提示するようにする、ステップ
をさらに含む、請求項1に記載の方法。
【請求項３】
前記方法は、前記受信側エンドポイントにより実行され、前記方法は、
前記受信側エンドポイントによって、前記対応する提示対象の映像コンテンツを、前記複数の表示領域のうちの各表示領域を使用することにより提示するステップ
をさらに含む、請求項1に記載の方法。
【請求項４】
前記方法は、前記少なくとも1つの送出側エンドポイントのうちの全てまたはいくつかの送出側エンドポイントの事象情報を受け取るステップをさらに含み、
各送出側エンドポイントの前記映像ストリームに従って、各送出側エンドポイントの前記映像ストリーム内の映像コンテンツをグレーディングする前記ステップが、
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの映像ストリーム内の前記映像コンテンツをグレーディングするステップ
を含む、請求項1から3のいずれか一項に記載の方法。
【請求項５】
前記少なくとも1つの送出側エンドポイントのうちの前記全てまたはいくつかの送出側エンドポイントの前記事象情報を使用して、前記全てまたはいくつかの送出側エンドポイントにおける参加者事象を示し、
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングする前記ステップが、
前記全てまたはいくつかの送出側エンドポイントの前記映像ストリームについて、人を単位にして、映像分割を行い、前記全てまたはいくつかの送出側エンドポイントにおける各参加者の映像コンテンツを取得するステップと、
前記全てまたはいくつかの送出側エンドポイントにおける前記参加者事象に従って、前記全てまたはいくつかの送出側エンドポイントにおける各参加者の映像コンテンツをグレーディングして、各参加者の前記映像コンテンツの映像コンテンツグレードを判定する、ステップと
を含む、請求項4に記載の方法。
【請求項６】
前記少なくとも1つの送出側エンドポイントのうちの前記全てまたはいくつかの送出側エンドポイントの前記事象情報を使用して、前記全てまたはいくつかの送出側エンドポイントにおける、基調演説者事象、共同作業者事象、話者事象、または資料共有者事象を示す、請求項5に記載の方法。
【請求項７】
前記少なくとも1つの送出側エンドポイントのうちの前記全てまたはいくつかの送出側エンドポイントの前記事象情報を使用して、前記全てまたはいくつかの送出側エンドポイントがデータ文書を共有する必要があるということを示し、前記全てまたはいくつかの送出側エンドポイントの前記映像ストリームにはデータ文書が含まれ、
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングする前記ステップが、
前記データ文書を、前記事象情報に従って、前記全てまたはいくつかの送出側エンドポイントの前記映像ストリームから分離させ、前記全てまたはいくつかの送出側エンドポイントの前記映像ストリームから分離された前記データ文書をグレーディングして、前記データ文書の映像コンテンツグレードを判定するステップ
を含む、請求項4から6のいずれか一項に記載の方法。
【請求項８】
前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングする前記ステップの後に、前記方法は、
前記全てまたはいくつかの送出側エンドポイントのうちのいずれか1つの送出側エンドポイントの事象情報が変更された場合、前記全てまたはいくつかの送出側エンドポイントに対応する映像コンテンツグレードを動的に調整するステップ
をさらに含む、請求項4から7のいずれか一項に記載の方法。
【請求項９】
各送出側エンドポイントの前記映像ストリームに従って、各送出側エンドポイントの前記映像ストリーム内の映像コンテンツをグレーディングする前記ステップが、
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングするステップ
を含む、請求項1から3のいずれか一項に記載の方法。
【請求項１０】
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングする前記ステップが、
前記全てまたはいくつかの送出側エンドポイントの前記映像ストリームについて、人を単位にして、映像分割を行い、前記全てまたはいくつかの送出側エンドポイントの各参加者の映像コンテンツを取得するステップと、
各参加者の前記映像コンテンツについて事象判定を行い、前記事象判定の後に、各参加者の前記映像コンテンツをグレーディングして、各参加者の前記映像コンテンツの映像コンテンツグレードを判定するステップと
を含む、請求項9に記載の方法。
【請求項１１】
各参加者の前記映像コンテンツについて事象判定を行う前記ステップが、
前記参加者の前記映像コンテンツが、基調演説者の映像コンテンツ、共同作業者の映像コンテンツ、話者の映像コンテンツ、または資料共有者の映像コンテンツであると判定するステップ
を含む、請求項10に記載の方法。
【請求項１２】
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングする前記ステップが、
前記全てまたはいくつかの送出側エンドポイントの前記映像ストリームについて、映像分割を行い、前記全てまたはいくつかの送出側エンドポイントの前記映像ストリーム内に、データ文書が存在すると判定するステップと、
前記全てまたはいくつかの送出側エンドポイントの分割された映像ストリーム内の前記データ文書をグレーディングして、前記データ文書の映像コンテンツグレードを判定するステップと
を含む、請求項9から11のいずれか一項に記載の方法。
【請求項１３】
各送出側エンドポイントの前記映像ストリーム内の映像コンテンツをグレーディングする前記ステップが、
各送出側エンドポイントの前記映像ストリーム内の前記映像コンテンツをグレーディングするステップであって、各送出側エンドポイントに対応する前記映像コンテンツグレードは、別の送出側エンドポイントの映像コンテンツグレードと重複しない、ステップ
を含む、請求項1から12のいずれか一項に記載の方法。
【請求項１４】
前記複数の表示領域のうちの各表示領域に対応する提示対象の映像コンテンツを判定する前記ステップが、
前記複数の映像コンテンツグレードのうちの各映像コンテンツグレードに対応する前記映像コンテンツと、前記映像のレイアウトとに従って、前記表示領域のうちの全てまたはいくつかに対応する提示対象の映像コンテンツを生成するステップであって、前記表示領域のうちの全てまたはいくつかに対応する、前記提示対象の映像コンテンツのうちの全てまたはいくつかのコンテンツが、サイズ変更および/またはカラーマーキングの様式で設定される、ステップ、
を含む、請求項1から13のいずれか一項に記載の方法。
【請求項１５】
テレビ会議におけるプレゼンテーションのための装置であって、
少なくとも1つの送出側エンドポイントのうちの各送出側エンドポイントの映像ストリームを受け取るように構成される受信ユニットと、
各送出側エンドポイントの前記映像ストリームに従って、各送出側エンドポイントの前記映像ストリーム内の映像コンテンツをグレーディングして、各送出側エンドポイントに対応する映像コンテンツグレードを判定するように構成される第1の判定ユニットであって、前記少なくとも1つの送出側エンドポイントは、複数の映像コンテンツグレードに対応する、第1の判定ユニットと、
映像のレイアウトを判定するように構成される第2の判定ユニットであって、前記映像のレイアウトを使用して前記複数の映像コンテンツグレードのうちの各映像コンテンツグレードに対応する表示領域を示し、前記表示領域は、受信側エンドポイントの複数の表示領域のうちの1つであり、前記映像コンテンツグレードは、前記表示領域1つ1つに対応する、第2の判定ユニットと、
前記複数の映像コンテンツグレードのうちの各映像コンテンツグレードに対応する映像コンテンツと、前記映像のレイアウトとに従って、前記複数の表示領域のうちの各表示領域に対応する提示対象の映像コンテンツを判定して、前記複数の表示領域のうちの各表示領域を使用することにより、前記対応する提示対象の映像コンテンツを提示するように構成される第3の判定ユニットであって、異なる表示領域に対応する提示対象の映像コンテンツは、異なる映像コンテンツグレードに対応する映像コンテンツを含む、第3の判定ユニットと、
を含む装置。
【請求項１６】
前記装置は、制御デバイスであり、前記装置は、
前記複数の表示領域のうちの各表示領域に対応する前記提示対象の映像コンテンツと、指示情報と、を前記受信側エンドポイントに送るように構成される送出ユニットであって、前記指示情報を使用して、前記表示領域と前記提示対象の映像コンテンツとの間の対応を示して、前記受信側エンドポイントが、前記対応する提示対象の映像コンテンツを、前記複数の表示領域のうちの各表示領域を使用することにより提示するようにする、送出ユニット
をさらに含む、請求項15に記載の装置。
【請求項１７】
前記装置は、前記受信側エンドポイントであり、前記装置は、
前記対応する提示対象の映像コンテンツを、前記複数の表示領域のうちの各表示領域を使用することにより提示するように構成される提示ユニット
をさらに含む、請求項15に記載の装置。
【請求項１８】
前記受信ユニットは、前記少なくとも1つの送出側エンドポイントのうちの全てまたはいくつかの送出側エンドポイントの事象情報を受け取るようにさらに構成され、
前記第1の判定ユニットは、前記全てまたはいくつかの送出側エンドポイントの前記事象情報に従って、かつ、前記全てまたはいくつかの送出側エンドポイントの映像ストリームに従って、前記全てまたはいくつかの送出側エンドポイントの前記映像ストリーム内の映像コンテンツをグレーディングするように特に構成される、請求項15から17のいずれか一項に記載の装置。
【請求項１９】
前記少なくとも1つの送出側エンドポイントのうちの前記全てまたはいくつかの送出側エンドポイントの前記事象情報を使用して、前記全てまたはいくつかの送出側エンドポイントにおける参加者事象を示し、
前記第1の判定ユニットは、
前記全てまたはいくつかの送出側エンドポイントの前記映像ストリームについて、人を単位にして、映像分割を行い、前記全てまたはいくつかの送出側エンドポイントにおける各参加者の映像コンテンツを取得することと、
前記全てまたはいくつかの送出側エンドポイントにおける前記参加者事象に従って、前記全てまたはいくつかの送出側エンドポイントにおける各参加者の前記映像コンテンツをグレーディングして、各参加者の前記映像コンテンツの映像コンテンツグレードを判定することと、
を行うように特に構成される、請求項18に記載の装置。
【請求項２０】
前記少なくとも1つの送出側エンドポイントのうちの前記全てまたはいくつかの送出側エンドポイントの前記事象情報を使用して、前記全てまたはいくつかの送出側エンドポイントにおける、基調演説者事象、共同作業者事象、話者事象、または資料共有者事象を示す、請求項19に記載の装置。
【請求項２１】
前記少なくとも1つの送出側エンドポイントのうちの前記全てまたはいくつかの送出側エンドポイントの前記事象情報を使用して、前記全てまたはいくつかの送出側エンドポイントがデータ文書を共有する必要があるということを示し、前記全てまたはいくつかの送出側エンドポイントの前記映像ストリームには前記データ文書が含まれ、
前記第1の判定ユニットは、
前記データ文書を、前記事象情報に従って、前記全てまたはいくつかの送出側エンドポイントの前記映像ストリームから分離させ、前記全てまたはいくつかの送出側エンドポイントの前記映像ストリームから分離された前記データ文書をグレーディングして、前記データ文書の映像コンテンツグレードを判定するように特に構成される、請求項18から20のいずれか一項に記載の装置。
【請求項２２】
前記全てまたはいくつかの送出側エンドポイントの前記事象情報に従って、かつ、前記全てまたはいくつかの送出側エンドポイントの前記映像ストリームに従って、前記全てまたはいくつかの送出側エンドポイントの前記映像ストリーム内の前記映像コンテンツがグレーディングされた後に、前記第1の判定ユニットは、
前記全てまたはいくつかの送出側エンドポイントのうちのいずれか1つの送出側エンドポイントの事象情報が変更された場合、前記全てまたはいくつかの送出側エンドポイントに対応する映像コンテンツグレードを動的に調整するようにさらに構成される、請求項18から21のいずれか一項に記載の装置。
【請求項２３】
前記第1の判定ユニットは、
前記少なくとも1つの送出側エンドポイントのうちの全てまたはいくつかの送出側エンドポイントの映像ストリーム内の映像コンテンツについて、事象判定を行い、前記事象判定の後に、前記全てまたはいくつかの送出側エンドポイントの前記映像ストリーム内の前記映像コンテンツをグレーディングするように特に構成される、請求項15から17のいずれか一項に記載の装置。
【請求項２４】
前記第1の判定ユニットは、
前記全てまたはいくつかの送出側エンドポイントの前記映像ストリームについて、人を単位にして、映像分割を行い、前記全てまたはいくつかの送出側エンドポイントの各参加者の映像コンテンツを取得することと、
各参加者の前記映像コンテンツについて事象判定を行い、前記事象判定の後に、各参加者の前記映像コンテンツをグレーディングして、各参加者の前記映像コンテンツの映像コンテンツグレードを判定することと、
を行うように特に構成される、請求項23に記載の装置。
【請求項２５】
前記第1の判定ユニットは、
前記参加者の前記映像コンテンツが、基調演説者の映像コンテンツ、共同作業者の映像コンテンツ、話者の映像コンテンツ、または資料共有者の映像コンテンツであると判定するように特に構成される、請求項24に記載の装置。
【請求項２６】
前記第1の判定ユニットは、
前記全てまたはいくつかの送出側エンドポイントの前記映像ストリームについて、映像分割を行い、前記全てまたはいくつかの送出側エンドポイントの前記映像ストリームのそれぞれの中に、データ文書が存在すると判定することと、
前記全てまたはいくつかの送出側エンドポイントの分割された映像ストリーム内の前記データ文書をグレーディングして、前記データ文書の映像コンテンツグレードを判定することと、
を行うように特に構成される、請求項23から25のいずれか一項に記載の装置。
【請求項２７】
前記第1の判定ユニットは、
各送出側エンドポイントの前記映像ストリーム内の前記映像コンテンツをグレーディングするように特に構成され、各送出側エンドポイントに対応する前記映像コンテンツグレードは、別の送出側エンドポイントの映像コンテンツグレードと重複しない、請求項15から26のいずれか一項に記載の装置。
【請求項２８】
前記第3の判定ユニットは、
前記複数の映像コンテンツグレードのうちの各映像コンテンツグレードに対応する前記映像コンテンツと、前記映像のレイアウトとに従って、前記表示領域のうちの全てまたはいくつかに対応する提示対象の映像コンテンツを生成するように特に構成され、前記表示領域のうちの全てまたはいくつかに対応する、前記提示対象の映像コンテンツのうちの全てまたはいくつかのコンテンツが、サイズ変更および/またはカラーマーキングの様式で設定される、請求項15から27のいずれか一項に記載の装置。
【請求項２９】
テレビ会議におけるプレゼンテーションのためのシステムであって、請求項15から28のいずれか一項に記載の装置を備え、少なくとも1つの送出側エンドポイントを備え、前記少なくとも1つの送出側エンドポイントのうちの各エンドポイントは、映像ストリームを前記装置に送るように構成される、システム。
【手続補正２】
【補正対象書類名】明細書
【補正対象項目名】００３９
【補正方法】変更
【補正の内容】
【００３９】
本発明の実施形態の制御デバイスを、中央制御デバイス、すなわち、テレビ会議システムのマルチポイント制御ユニット(Multipoint Control Unit、MCU)、と呼ぶことがある。本発明の実施形態における異なるエンドポイントは、マルチポイントテレビ会議の別の空間にあってもよく、各場所/ロケーション/参加者/会議室は、総称してエンドポイントと呼ぶことができ、1つのエンドポイントは、1つまたは複数の端末デバイスに対応するものとする。例えば、複数の端末デバイスが1つの会議室にあり、端末デバイスには、3スクリーン端末、1スクリーン端末、デスクトップコンピュータ、パッド、および電話、が含まれるがこれに限定されない。
【手続補正３】
【補正対象書類名】明細書
【補正対象項目名】００５８
【補正方法】変更
【補正の内容】
【００５８】
テレビ会議におけるプレゼンテーションのための方法100が受信側エンドポイントにより実装されるとき、方法100はさらに以下のステップを含んでもよい。
受信側エンドポイントによって、対応する提示対象の映像コンテンツを、複数の表示領域のうちの各表示領域を使用することにより提示するステップ。
【手続補正４】
【補正対象書類名】明細書
【補正対象項目名】００８９
【補正方法】変更
【補正の内容】
【００８９】
図3cは、種々の端末の表示デバイス上の表示領域を区分することの効果を説明する図であり、a1は、デスクトップコンピュータの表示領域区分を示し、a2は、ラップトップコンピュータの表示領域区分を示し、a3は、タブレットコンピュータの表示領域区分を示し、a4は、携帯電話の表示領域区分を示し、a5は、会議端末(conference terminal)の表示領域区分を示す。
【手続補正５】
【補正対象書類名】明細書
【補正対象項目名】００９３
【補正方法】変更
【補正の内容】
【００９３】
図4は、本発明の一実施形態に係る、テレビ会議におけるプレゼンテーションのための装置200の概略ブロック図である。図4に示すように、装置200は以下を含む。
受信ユニット210:少なくとも1つの送出側エンドポイントのうちの各送出側エンドポイントの映像ストリームを受け取るように構成される。
第1の判定ユニット220:各送出側エンドポイントの映像ストリームに従って、各送出側エンドポイントの映像ストリーム内の映像コンテンツをグレーディングして、各送出側エンドポイントに対応する映像コンテンツグレードを判定するように構成され、少なくとも1つの送出側エンドポイントは、複数の映像コンテンツグレードに対応する。
第2の判定ユニット230:映像のレイアウトを判定するように構成され、映像のレイアウトを使用して複数の映像コンテンツグレードのうちの各映像コンテンツグレードに対応する表示領域を示し、表示領域は、受信側エンドポイントの複数の表示領域に含まれる表示領域であり、映像コンテンツグレードは、表示領域1つ1つに対応する。
第3の判定ユニット240:複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するように構成され、異なる表示領域に対応する提示対象の映像コンテンツは、異なる映像コンテンツグレードに対応する映像コンテンツを含む。
【手続補正６】
【補正対象書類名】明細書
【補正対象項目名】００９４
【補正方法】変更
【補正の内容】
【００９４】
選択的に、本発明の実施形態において、装置200は制御デバイスである。図5に示すように、装置200は以下をさらに含む。
送出ユニット250:複数の表示領域のうちの各表示領域に対応する提示対象の映像コンテンツと、指示情報と、を受信側エンドポイントに送るように構成され、指示情報を使用して、表示領域と提示対象の映像コンテンツとの間の対応を示して、受信側エンドポイントが、対応する提示対象の映像コンテンツを、複数の表示領域のうちの各表示領域を使用することにより提示するようにする。
【手続補正７】
【補正対象書類名】明細書
【補正対象項目名】０１１２
【補正方法】変更
【補正の内容】
【０１１２】
図7は、本発明の一実施形態に係る、テレビ会議におけるプレゼンテーションのための装置300の概略ブロック図である。図7に示すように、テレビ会議におけるプレゼンテーションのための装置300には、トランシーバ310、プロセッサ320、メモリ330、およびバス340が含まれる。トランシーバ310は、エンドポイントと接続される通信を実装するように構成される。バス340は、テレビ会議におけるプレゼンテーションのための装置300の内部パーツ間の通信接続を実装するように構成される。メモリ330は、プログラムコードを記憶するように構成される。プロセッサ320は、メモリ330内に記憶されたプログラムコードを呼び出して、以下の動作を実行するように構成される。
トランシーバ310を使用することにより、少なくとも1つの送出側エンドポイントのうちの各送出側エンドポイントの映像ストリームを受け取るステップ。
各送出側エンドポイントの映像ストリームに従って、各送出側エンドポイントの映像ストリーム内の映像コンテンツをグレーディングして、各送出側エンドポイントに対応する映像コンテンツグレードを判定するステップであって、少なくとも1つの送出側エンドポイントは、複数の映像コンテンツグレードに対応する、ステップ。
映像のレイアウトを判定するステップであって、映像のレイアウトを使用して複数の映像コンテンツグレードのうちの各映像コンテンツグレードに対応する表示領域を示し、表示領域は、受信側エンドポイントの複数の表示領域に含まれる表示領域であり、映像コンテンツグレードは、表示領域1つ1つに対応する、ステップ。
複数の映像コンテンツグレードのうちの各映像コンテンツグレードに対応する映像コンテンツと、映像のレイアウトとに従って、複数の表示領域のうちの各表示領域に対応する提示対象の映像コンテンツを判定して、複数の表示領域のうちの各表示領域を使用することにより、対応する提示対象の映像コンテンツを提示するステップであって、異なる表示領域に対応する提示対象の映像コンテンツは、異なる映像コンテンツグレードに対応する映像コンテンツを含む、ステップ。
【国際調査報告】
2017523632.tif 000021
2017523632.tif 000022
2017523632.tif 000023
2017523632.tif 000024